(57)【要約】  端末機は、発電部からの電力が蓄電部で蓄電され、蓄電部からの第１の電圧を電圧変換部で第２の電圧に変換して制御回路に給電することで起動する。さらに端末機は、タイマを有する。端末機は、タイマによる計測時間に基づいて決定される登録データに応じて通常モード信号またはペアリングモード信号のいずれを無線送信するかを決定する。
2017141759.tif 000002
【特許請求の範囲】
【請求項１】
起動部と、
前記起動部の動作に応じて電荷を発生する発電部と、
前記電荷を蓄電する蓄電部と、
前記蓄電部から得られる第１の電圧を第２の電圧に変換する電圧変換部と、
第１入力部と、第２入力部と、出力部と、不揮発性メモリと、信号処理回路とを有し、前記第１入力部に印加される前記第２の電圧を電源電圧として第１の時間から作動し、前記第２の電圧が下限電圧値よりも低下する第２の時間で作動を停止する制御回路と、
前記出力部からの出力信号を無線送信する無線回路と、
を備えた端末機において、
前記端末機は、さらに、前記第１の電圧に応じた出力値を前記第２入力部に出力する電圧検知部を有し、
前記制御回路は、さらに、クロックを発生する発振器と、前記制御回路の作動中に前記クロックの計時を行うタイマと、を有し、
ｍ回目の起動開始時に、前記不揮発性メモリには、前記起動部の（ｍ−１）回目までの起動中に得られた（ｍ−１）回目までの登録データが格納され、
前記制御回路は、ｍ回目の起動中で前記出力値が予め設定された第１閾値を前記第１の時間後の第３の時間で超えると、前記第２の時間までに、前記タイマでの計測時間に基づいて前記ｍ回目の起動中に決定されるｍ回目の登録データを前記不揮発性メモリに格納し、前記（ｍ−１）回目までの登録データあるいは、前記（ｍ−１）回目までの登録データと前記ｍ回目の登録データに応じて、前記出力部から第１信号または第２信号のいずれかを前記出力信号として出力する端末機。
【請求項２】
前記信号処理回路は、前記第３の時間以後に前記タイマでの計時を開始させ、前記第３の時間から前記第２の時間の間に設定されている基準時間を前記計測時間が超えると、前記ｍ回目の登録データを前記不揮発性メモリに格納する請求項１に記載の端末機。
【請求項３】
前記不揮発性メモリの前記ｍ回目の登録データを格納する格納箇所には基準時間を前記計測時間が超えないことを示す第１データが予め格納されており、前記信号処理回路は、前記基準時間を前記計測時間が超えたとき、前記ｍ回目の登録データを格納する格納箇所に、前記ｍ回目の登録データとして前記基準時間を前記計測時間が超えたことを示す第２データを格納し直す請求項１に記載の端末機。
【請求項４】
前記不揮発性メモリは、さらに格納領域に前記ｍ回目での計測時間を定期的に保存する保存箇所を有し、
前記信号処理回路は、前記ｍ回目での起動中に、
前記ｍ回目での計測時間を、定期的に前記保存箇所に保存し、
かつ、前記ｍ回目の登録データは、前記（ｍ−１）回目で前記保存箇所に保存されている（ｍ−１）回目の計測時間に対応する値と予め設定された基準時間に応じた規定値との比較によって決定されて、前記ｍ回目の登録データを格納する格納箇所に格納する請求項１に記載の端末機。
【請求項５】
前記制御回路は、前記第３の時間から前記第２の時間の間において、前記第１閾値を超えている前記出力値が前記第１閾値よりも下がり、再び前記第１閾値を第４の時間で超えたとき、前記第４の時間を（ｍ＋１）回目の起動時の前記第３の時間として置き換える請求項１に記載の端末機。
【請求項６】
前記制御回路は、前記出力信号の出力後での前記タイマの作動時に、動作クロックの周波数を前記タイマの作動を開始する前の動作クロックの周波数に比べて低い動作クロックにする、もしく前記タイマの作動を開始した以降に前記下限電圧値を低下させる請求項１に記載の端末機。
【請求項７】
前記不揮発性メモリは、前記（ｍ−１）回目までの登録データ、あるいは前記（ｍ−１）回目までの登録データと前記ｍ回目の登録データを格納する格納領域を含み、前記格納領域は、複数の格納領域のうちのひとつであり、前記信号処理回路は前記複数の格納領域のそれぞれを代わる代わるに使用する請求項１に記載の端末機。
【請求項８】
前記不揮発性メモリにはさらに選択用データが登録されており、前記信号処理回路は、前記選択用データによって、前記複数の格納領域のいずれを使用するかを決定する請求項７に記載の端末機。
【請求項９】
前記発電部は、前記起動部の動作に伴って発電する電磁誘導式もしくは圧電発電式の発電機構を有する請求項１に記載の端末機。
【請求項１０】
前記不揮発性メモリは、第１の格納部から第ｎの格納部からなるｎ個の格納部（ｎ≧３：正の整数）を備え、
前記信号処理回路は、起動開始後に前記タイマの計時の開始と、
前記ｎ個の格納部のｐ番目の格納部（ｎ≧ｐ≧２：正の整数）の登録データをｐ−１番目の格納部に格納し、第１の登録データを前記第ｎの格納部に格納し、
前記タイマの計時値が予め決められた値を超えると、第２の登録データを前記第ｎの格納部に登録する処理と、
また、前記信号処理回路は、前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力する処理と、を行う請求項１に記載の端末機。
【請求項１１】
前記不揮発性メモリは、第１の格納部から第ｎの格納部からなるｎ個の格納部（ｎ≧３）を備え、
前記信号処理回路は、起動開始後に前記タイマの計時を開始し、
前記ｎ個の格納部のｐ番目の格納部（ｎ≧ｐ≧２：正の整数）の登録データをｐ−１番目の格納部に格納し、
１以上の回数で、前記タイマの計時値に応じて、前記第ｎの格納部の登録データを更新する処理と、
また、前記信号処理回路は、前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力する処理と、を行う請求項１に記載の端末機。
【請求項１２】
前記タイマは前記クロックのカウントを行うカウンタであり、前記計測時間は、前記カウンタのカウント値である請求項１から１１のいずれか１項に記載の端末機。
【請求項１３】
第１入力部と第２入力部と出力部と不揮発性メモリと信号処理回路とタイマとを有した制御回路を有し、
ｍ回目の動作で第２の電圧が電源電圧として前記第１入力部へ第１の時間から印加されるステップと、
前記電源電圧の印加により、前記制御回路の作動開始をするステップと、
前記第２の電圧が下限電圧値よりも低下することで、前記制御回路が第２の時間で作動を停止するステップと、を有した端末機の制御方法において、
さらに、電圧検知部の出力値を前記第２入力部から入力するステップと、
前記出力値が予め設定された第１閾値を超えた第３の時間以後に、
前記タイマで計時された計測時間に応じて前記ｍ回目の登録データを決定するステップと、
前記不揮発性メモリに格納された（ｍ−１）回目までの登録データあるいは、前記（ｍ−１）回目までの登録データと前記ｍ回目の登録データに応じて、第１信号または第２信号のいずれかの出力信号を前記出力部から出力するステップと、
を有する端末機の制御方法。
【請求項１４】
さらに、発電部で電力を生成するステップと、
前記電力を蓄電部に蓄電するステップと、
前記蓄電部から得られる第１の電圧を電圧変換部で前記第２の電圧に変換するステップと、
前記第１の電圧に応じて前記出力値を生成するステップと、
前記出力部から出力される前記出力信号を無線送信するステップと、
を有する請求項１３に記載の端末機の制御方法。
【請求項１５】
前記ｍ回目の登録データを決定する際に、前記ｍ回目の登録データを前記不揮発性メモリに格納し、前記ｍ回目の登録データを決定するより前に、または決定した前記ｍ回目の登録データを前記不揮発性メモリに格納する前に、前記出力信号を出力する請求項１３に記載の端末機の制御方法。
【請求項１６】
前記（ｍ−１）回目までの登録データが前記不揮発性メモリに格納されており、前記第１信号または前記第２信号のいずれかを生成する際に、前記不揮発性メモリから前記（ｍ−１）回目までの登録データを読み出す請求項１３に記載の端末機の制御方法。
【請求項１７】
前記ｍ回目の登録データを決定する際に、前記ｍ回目の登録データを前記不揮発性メモリに格納し、前記第１信号または前記第２信号のいずれかを生成する前に前記不揮発性メモリから前記（ｍ−１）回目までの登録データおよび前記ｍ回目の登録データを読み出す請求項１３に記載の端末機の制御方法。
【請求項１８】
前記ｍ回目の起動中に、前記出力値を入力した際、前記第３の時間から前記第２の時間の間で、前記第１閾値を超えている前記出力値が前記第１閾値よりも下がり、再び前記第１閾値を第４の時間で超えたとき、前記第４の時間を（ｍ＋１）回目の起動時での前記第３の時間として置き換える、請求項１３に記載の端末機の制御方法。
【請求項１９】
前記不揮発性メモリにおいて前記ｍ回目の登録データを格納する格納箇所には前記基準時間を前記計測時間が超えないことを示す第１データが予め格納されており、前記基準時間を前記計測時間が超えたとき、前記格納箇所に前記基準時間を前記計測時間が超えたことを示す第２データを前記ｍ回目の登録データとして格納し直すステップをさらに有する請求項１３に記載の端末機の制御方法。
【請求項２０】
前記ｍ回目での起動中に、前記不揮発性メモリの格納領域に設定した保存箇所に前記ｍ回目で計測されていく時間に応じた値を定期的に保存していくステップをさらに有し、
前記ｍ回目での値を前記保存箇所に定期的に保存する前に、
前記保存箇所に保存している（ｍ−１）回目の値と予め設定した基準時間に応じた規定値との比較によって前記ｍ回目の登録データを決定する請求項１３に記載の端末機の制御方法。
【請求項２１】
前記ｍ回目の登録データを決定した後に、前記（ｍ−１）回目までの登録データおよび前記ｍ回目の登録データに応じて前記出力信号を生成する、請求項２０に記載の端末機の制御方法。
【請求項２２】
前記不揮発性メモリは、第１の格納部から第ｎの格納部からなるｎ個の格納部（ｎ≧ｍ：正の整数）を備え、
起動開始後に前記タイマの計時を開始するステップと、
前記ｎ個の格納部のｐ番目の格納部（ｎ≧ｐ≧２：正の整数）の登録データをｐ−１番目の格納部に格納し、第１データを前記第ｎの格納部に格納し、
前記タイマで計測する計時値が予め決められた値を超えると、第２データを前記第ｎの格納部に登録するステップと、
また、前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力するステップと、を備える請求項１３に記載の端末機の制御方法。
【請求項２３】
前記不揮発性メモリは、第１の格納部から第ｎの格納部からなるｎ個の格納部（ｎ≧３）を備え、
起動開始後に前記タイマの計時を開始するステップと、
前記ｎ個の格納部のｐ番目の格納部（ｎ≧ｐ≧２：正の整数）の登録データをｐ−１番目の格納部に格納するステップと、
１以上の回数で、前記タイマで計測する計時値に応じて、前記第ｎの格納部の登録データを更新するステップと、
また、前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力するステップと、を備える請求項１３に記載の端末機の制御方法。
【請求項２４】
前記タイマは前記クロックのカウントを行うカウンタであり、前記計測時間は、前記カウンタのカウント値である請求項１３から２３のいずれか１項に記載の端末機の制御方法。
【請求項２５】
請求項１から１２のいずれか１つに記載の端末機と、前記端末機で無線送信された信号を受信する親無線機と、を備え、
前記端末機からの前記第１信号はペアリングモード信号であり、前記ペアリングモード信号を通じて前記端末機と前記親無線機とはペアリングされる、無線通信システム。
【発明の詳細な説明】
【技術分野】
【０００１】
本発明は、各種電子機器に用いられ、親無線機と無線通信をして使用される端末機および端末機の制御方法、並びにこの端末機を用いた無線通信システムに関する。
【背景技術】
【０００２】
近年、無線通信システムを搭載した各種電子機器が普及している。無線通信システムは、親無線機と、親無線機との間で無線通信をする端末機によって構成される。親無線機と端末機との間はペアリングさせて無線通信可能に設定される。通常、端末機は、内蔵する電池で作動する。近年、小型軽量の発電装置の開発も進み、発電装置を発電部として内蔵させた端末機の提案も増えている。本出願人も特許文献１による提案をしている。【０００３】
特許文献１による端末機は、内蔵する発電部を有し、発電部からの電力のみで制御回路を作動させる。すなわち、端末機は、発電部から得られる電力に応じた電圧を制御回路に電源電圧として給電して起動される。そして、端末機は、複数回繰り返して起動された時間間隔に応じて、通常で使用する通常モードと、親無線機とのペアリングをする際の登録モードとが切り換わる構成になっている。そして、端末機は、制御回路を通じて、通常モードの場合では通常モード信号を無線送信し、登録モードの場合ではペアリングするためのペアリングモード信号を無線送信する。【０００４】
端末機の登録モードへの切り換えを判定するために、端末機では制御回路に判定回路を接続している。判定回路は、制御回路の出力ポートから得られる電圧が時定数に応じて下降していくように抵抗およびコンデンサを含んだ時定数回路で構成している。判定回路の下降する電圧は制御回路の入力ポートで読み取られる。制御回路は、第１基準値（ハイ電圧）と第２基準値（ロー電圧）を予め有し、第１基準値および第２基準値と入力ポートで読み取る判定回路からの電圧値を対比する。そして、制御回路は、判定回路からの電圧値が第１基準値よりも高い場合では、端末機の起動の時間間隔は短時間であると判定し、第２基準値よりも低い場合では、端末機の起動の時間間隔は長時間であると判定する。【０００５】
端末機は、複数回繰り返して起動され、これで得られる複数の判定結果が予め設定されたパターンに合致する場合に通常モードから登録モードに移行する。【０００６】
以上のように、端末機は、複数回の起動時での時間間隔を時定数回路からの電圧値に基づいて判定し、この複数の判定結果で対応するモードに応じた第１信号または第２信号のいずれかを無線送信する。
【先行技術文献】
【特許文献】
【０００７】
【特許文献１】国際公開第２０１５／０６８３４２号
【発明の概要】
【０００８】
本発明は、時定数回路を用いることなく、第１信号または第２信号のいずれかを選択して無線送信可能に構成した端末機および端末機の制御方法、並びにこの端末機を用いた無線通信システムを提供することを目的とする。
【０００９】
この目的を達成するために端末機は、起動部と、発電部と、蓄電部と、電圧変換部と、制御回路と無線回路とを有する。発電部は、起動部の動作に応じて電荷を発生する。蓄電部は、電荷を蓄電する。電圧変換部は、蓄電部から得られる第１の電圧を第２の電圧に変換する。制御回路は、第１入力部と第２入力部と出力部と不揮発性メモリと信号処理回路とを有し、第１入力部に印加される第２の電圧を電源電圧として第１の時間から作動し、第２の電圧が下限電圧値よりも低下する第２の時間で作動を停止する。無線回路は、出力部からの出力信号を無線送信する。端末機は、さらに、第１の電圧に応じた出力値を第２入力部に出力する電圧検知部を有する。制御回路は、さらに、クロックを発生する発振器と、制御回路の作動中にクロックの計時を行うタイマとを有する。そして、ｍ回目の起動開始時に、不揮発性メモリには、起動部の（ｍ−１）回目までの起動中に得られた（ｍ−１）回目までの登録データが格納され、制御回路は、ｍ回目の起動中で出力値が予め設定された第１閾値を第１の時間後の第３の時間で超えると、第２の時間までに、タイマでの計測時間に基づいてｍ回目の起動中に決定されるｍ回目の登録データを不揮発性メモリに格納する。かつ制御回路は、（ｍ−１）回目までの登録データあるいは、（ｍ−１）回目までの登録データとｍ回目の登録データに応じて、出力部から第１信号または第２信号のいずれかを出力信号として出力する。
【００１０】
端末機の制御方法は、第１入力部と第２入力部と出力部と不揮発性メモリと信号処理回路とタイマとを有した制御回路を有した端末機の制御方法である。端末機の制御方法は、以下を行う。ｍ回目の動作で第２の電圧が電源電圧として第１入力部へ第１の時間から印加される。電源電圧の印加により、制御回路の作動開始をする。第２の電圧が下限電圧値よりも低下することで、制御回路が第２の時間で作動を停止する。電圧検知部の出力値を第２入力部から入力する。出力値が予め設定された第１閾値を超える第３の時間以後に、タイマで計時された計測時間に応じてｍ回目の登録データを決定する。不揮発性メモリに格納された（ｍ−１）回目までの登録データあるいは、（ｍ−１）回目までの登録データとｍ回目の登録データに応じて、第１信号または第２信号のいずれかの出力信号を出力部から出力する。
【００１１】
無線通信システムは、上述した端末機と、端末機で無線送信された信号を受信する親無線機と、を有する。そして、端末機からの第１信号はペアリングモード信号であり、ペアリングモード信号を通じて端末機と親無線機とはペアリングされる。
【００１２】
以上のように、端末機および端末機の制御方法、並びにこの端末機を用いた無線通信システムにおいては、端末機が、タイマでの計測時間に基づいてｍ回目の登録データを決定する。さらに、（ｍ−１）回目までの登録データあるいは、（ｍ−１）回目までとｍ回目の登録データに応じて、出力部から第１信号または第２信号のいずれかを出力信号として出力する。これであれば、端末機は、時定数回路を用いることなく、第１信号または第２信号を選択して無線送信可能である。つまり、端末機で必要であった時定数の設定および時定数回路に用いる抵抗、コンデンサの選択などを不要とする。また、タイマでの計時処理などは所謂ソフト処理で行えるため、端末機でのソフト変更をするのみで柔軟に多様な設定が対応可能で生産性の向上も図れる。
【００１３】
以上のように本発明では、端末機は、時定数回路を用いることなく、第１信号または第２信号のいずれかを無線送信可能に構成できる。そして、端末機はソフト対応で柔軟に多様な設定が可能となるため生産性の向上も図れる端末機および端末機の制御方法、並びにこの端末機を用いた無線通信システムの提供を可能とする。
【図面の簡単な説明】
【００１４】
【図１】本発明の実施の形態による端末機の電気的構成を示すブロック図
【図２】本発明の実施の形態による親無線機の電気的構成を示すブロック図
【図３】本発明の実施の形態による端末機と親無線機との間でのペアリング時の流れを説明するフローチャート
【図４】本発明の実施の形態１による端末機の起動中での電圧の推移を示す図
【図５】本発明の実施の形態１による端末機の動作の概要を示すフローチャート
【図６】本発明の実施の形態１による端末機における登録データ決定処理の流れを示すフローチャート
【図７】本発明の実施の形態１による端末機における不揮発性メモリに対する登録データの格納の流れを示す図
【図８】本発明の実施の形態１による端末機における不揮発性メモリに対する登録データの格納の流れを示す図
【図９】本発明の実施の形態１による端末機における送信処理の概要の流れを示すフローチャート
【図１０】本発明の実施の形態１による端末機における登録データの読み出し範囲を説明する図
【図１１】本発明の実施の形態１による端末機における登録データの読み出し範囲を説明する図
【図１２】本発明の実施の形態１による端末機の複数回の起動中での処理の推移を示す図
【図１３】図１２の一部の拡大を示す図
【図１４】本発明の実施の形態１による端末機における図１２の処理での不揮発性メモリに対する登録データの格納の流れを示す図
【図１５Ａ】本発明の実施の形態１による無線システムのペアリングシーケンスを示す図
【図１５Ｂ】本発明の実施の形態１による無線システムのペアリングシーケンスを示す図
【図１６】本発明の実施の形態１による端末機の状態推移を示す図
【図１７】本発明の実施の形態２による端末機の起動中での電圧の推移を示す図
【図１８】本発明の実施の形態２による端末機の動作の概要を示すフローチャート
【図１９】本発明の実施の形態２による端末機の不揮発性メモリの第１領域と第２領域を模式的に示す図
【図２０】本発明の実施の形態２による端末機におけるカウントデータ定期保存処理の流れを示すフローチャート
【図２１】本発明の実施の形態２による端末機における登録データ決定処理の流れを示すフローチャート
【図２２】本発明の実施の形態２による端末機における不揮発性メモリに対する登録データの格納の流れを示す図
【図２３】本発明の実施の形態２による端末機における不揮発性メモリに対する登録データの格納の流れを示す図
【図２４】本発明の実施の形態２による端末機における送信処理の概要の流れを示すフローチャート
【図２５】本発明の実施の形態２による端末機における登録データの読み出し範囲を説明する図
【図２６】本発明の実施の形態２による端末機における登録データの読み出し範囲を説明する図
【発明を実施するための形態】
【００１５】
本発明の実施の形態の説明に先立ち、従来の端末機における問題点を簡単に説明する。端末機は、内蔵する発電部からの限られた電力で起動し、かつ無線送信時には多くの電力を消費するため、制御回路の作動可能な時間は限られる。この限られる起動時間の中で、制御回路は判定回路から得た電圧値を第１基準値および第２基準値に対比して、端末機の複数回起動される時間間隔を判定する。しかしながら、要望される時間間隔はユーザ毎に異なることも多い。すなわち、判定回路の時定数は要望される時間間隔で異なる設定にせざるを得ない。この場合、発電部から得られる電力のばらつきなども踏まえつつ抵抗やコンデンサを再選定して時定数を設定し直し、時定数の異なる判定回路を搭載した端末機をそれぞれ生産する必要がある。すなわち、判定回路を有する構成の端末機では、生産性の向上を図り難いという問題を有する。また、端末機では、制御回路などを有する配線基板に判定回路を構成すると、判定回路のみの取替えが困難であり、その改善策の検討も必要である。
【００１６】
本実施の形態における端末機と端末機の制御方法、並びにこの端末機を用いた無線通信システムについて以下に説明する。
【００１７】
（実施の形態１）
（１．端末機と親無線機の関係）
図１は本発明の実施の形態による端末機の電気的構成を示すブロック図、図２は親無線機の電気的構成を示すブロック図である。
【００１８】
図１に示す端末機２００は、図２に示す一つの親無線機５００に無線通信可能に設定されて使用される。すなわち端末機２００は、親無線機５００とペアリングされて使用される。端末機２００は例えば窓の枠部やドアに取り付けられる。端末機２００は、窓やドアを開く動作または閉じる動作で起動し、所定の無線信号を親無線機５００に送信する。端末機２００が送信する無線信号としては、親無線機５００とのペアリング時ではペアリングモード信号（以下、第１信号と記載する）を送信し、ペアリングが完了した後等では通常の使用状態に応じた通常モード信号（以下、第２信号と記載する）を送信する。なお、少なくとも第２信号は窓の開閉情報を含む。
【００１９】
親無線機５００は端末機２００と離れた位置に設置されている。親無線機５００は商用電源から電源供給を受けて常時作動している。端末機２００からの無線信号は親無線機５００で受信されて、親無線機５００は受信信号に応じた所定制御を行う。
【００２０】
（２．端末機の電気的構成）
以下、端末機２００の構成について、図１を用いて説明する。図１に示したように、端末機２００は、発電部１０と蓄電部２０と電圧変換部３０と制御回路４０と無線回路６０と電圧検知部７０とを有する。
【００２１】
発電部１０は、電力を発電する発電機構を有する。発電機構は、電磁誘導式もしくは圧電発電式であり、例えば窓等を開くまたは閉じる行為のそれぞれに連動して動作する起動部１０Ａと、起動部１０Ａの動作に応じて限られる所定の電力を発電する機構を含む。つまり、発電部１０は、所謂エナジーハーベスタであって、起動部１０Ａが動作する都度で限られた電力量の電荷を発生させる。発電機構は電磁誘導式や圧電発電式以外であってもよい。
【００２２】
発電部１０で発電された電力は、発電部１０に接続された蓄電部２０に蓄電される。蓄電部２０は整流回路を含んでもよい。蓄電部２０は電圧変換部３０に接続されている。そして、電圧変換部３０は、蓄電部２０に蓄積した電力に応じた第１の電圧を第２の電圧に変換する。第１の電圧および第２の電圧はＤＣ電圧である。
【００２３】
制御回路４０は、第１入力部４１と第２入力部４２と出力部４３と不揮発性メモリ４４と信号処理回路５０とクロックを発生する発振器７２とを有する。さらに制御回路４０は、制御回路４０の作動中にクロックの計時を行うタイマ８０を有するＲＡＭ（Ｒａｎｄｏｍ  Ａｃｃｅｓｓ  Ｍｅｍｏｒｙ）１００を含む。なお、タイマ８０を有するＲＡＭ１００は、制御回路４０で制御されているならば外付けされていてもよい。また、制御回路４０で制御されているならばＲＡＭ１００以外のタイマ８０を用いてもよい。
【００２４】
電圧変換部３０は制御回路４０の第１入力部４１に接続されている。第１入力部４１は電源供給部である。つまり、電圧変換部３０からの第２の電圧が電源電圧として制御回路４０に印加可能に構成されている。制御回路４０の信号処理回路５０は各種処理を行う。信号処理回路５０で行われる各種処理としては、例えば様々な数値計算や情報処理、回路の制御などである。また、信号処理回路５０は、出力部４３から所定の出力信号を出力し、この出力信号を無線回路６０を介して無線送信する。無線回路６０はアンテナ６１を含む。
【００２５】
電圧検知部７０が、蓄電部２０と電圧変換部３０との間に接続されている。換言すれば、第１の電圧を入力可能に電圧検知部７０が配置されている。電圧検知部７０は、第１の電圧に応じた所定の出力値を第２入力部４２に入力させる。電圧検知部７０は、例えば、ボルテージディテクタＩＣ（Ｉｎｔｅｇｒａｔｅｄ  Ｃｉｒｃｕｉｔ）等の部品を用いる。または、電圧変換部３０と一体となったＩＣであってもよい。この出力値を基に、信号処理回路５０は処理を開始する。
【００２６】
（３．親無線機の電気的構成）
親無線機５００の構成について図２を用いて説明する。親無線機５００は図２に示すように、アンテナ５１１を含む受信回路５１０と、制御回路５２０とを有する。制御回路５２０は、不揮発性メモリ５２１と信号処理回路５２２を有する。親無線機５００は、商用電源から図示しない電源回路を介して電源電圧を常時供給されている。
【００２７】
受信回路５１０は、アンテナ５１１を介して端末機２００からの無線信号を受信する回路である。受信された無線信号は制御回路５２０に伝えられ、制御回路５２０は信号処理回路５２２で無線信号の判別などを行って対応する処理を行う。親無線機５００は、端末機２００とのペアリングを行う際に、ペアリングモードに切り換え可能に構成されている。なお、不揮発性メモリ５２１には、端末機２００の識別子や暗号化キーなどが記憶され、信号処理回路５２２は、受信回路５１０によって受信した無線信号の暗号化データの解読などを行うがこれらの説明は省略する。
【００２８】
（４．端末機および親無線機との間のペアリングの流れ）
次に、端末機２００を親無線機５００にペアリングする際の流れについて図３を用いて説明する。図３は端末機と親無線機との間でのペアリング時の流れを説明するフローチャートである。
【００２９】
操作者は、図３に示すステップ１で、親無線機５００をペアリングモードに切り換える。操作者は端末機２００を使用する使用者であり、窓等の施工業者なども含む。その後、操作者は、図３のステップ２からステップ５に示すように、端末機２００を繰り返して複数回起動させる。すなわち、操作者は例えば端末機２００を取り付けた窓を閉じている状態から開ける、あるいは開けている状態から閉める行為を繰り返して行う。端末機２００はステップ２からステップ４の各々で起動し、各々の起動中に詳細は後述するが登録データの決定や登録データに基づいた送信信号の決定などを行う。そして、端末機２００は、ステップ２からステップ４の各々では第２信号（通常モード信号）を送信する。しかしながら、親無線機５００は端末機２００とのペアリングをしていないのでこれらの第２信号を無視する。そして、ステップ５で、操作者が、端末機２００をｎ回目に起動させると、端末機２００の制御回路４０は、登録データに基づいた送信信号の決定のために、予め設定されたペアリングパターンと、例えば（ｎ−１）回目までの登録データを不揮発性メモリ４４から読み出して対比する。ペアリングパターンと読み出したパターンとが合致した場合、端末機２００は第１信号（ペアリングモード信号）を無線送信する。その後、ステップ６で親無線機５００は第１信号を受信して判別し、条件の合致する場合に端末機２００を認定してペアリングを完了させる。
【００３０】
（５．端末機の起動中での各電圧の推移）
端末機２００の起動中での第１の電圧および第２の電圧の推移について説明する。なお、詳細は後述するが、端末機２００は、起動中に送信処理、登録データ決定処理を行う。これらの処理を行う順序で電圧の推移は異なるが、登録データ決定処理を行う前に送信処理を行う場合を例として以下に図４を用いて説明する。図４は、端末機の起動中での電圧の推移を示す図である。
【００３１】
操作者が、端末機２００を起動させる行為を行うことによって端末機２００に内蔵されている発電部１０が動作して電力を発電する。発電部１０で発電される電力は蓄電部２０に蓄電されていく。蓄電部２０の第１の電圧の値は図４に示すように時間的に急な傾斜をもって上昇していく。第１の電圧の値は第１の時間ｔ１で制御回路４０の作動可能な下限電圧値を超える。第１の時間ｔ１以後、電圧変換部３０は一定の第２の電圧を制御回路４０に印加する。第２の電圧はＤＣ電圧である。
【００３２】
制御回路４０は、第２の電圧を印加されることによって作動を開始し、送信処理を行う。送信処理は無線送信を含むので多くの電力を必要とする。つまり、蓄電部２０に蓄電されていく電力は送信処理中に多く消費される。このために、第１の電圧は、送信処理を行なっている時間の間でピーク値をもつように推移する。その後、制御回路４０は登録データ決定処理を行う。登録データ決定処理を行う際にも制御回路４０は電力を消費するが、その消費量は送信処理中よりも少ない。このため、送信処理の後では第１の電圧は時間経過と共に緩やかに低下していく。
【００３３】
そして、電力が消費されていくことによって第１の電圧は第２の時間ｔ２で下限電圧値より低下する。第１の電圧が下限電圧値よりも低くなった時点で制御回路４０への第２の電圧の供給は停止される。これによって制御回路４０は作動を停止する。このように、端末機２００は、発電部１０からの限られた電力のみで第１の時間ｔ１から第２の時間ｔ２の間で作動可能に構成されている。
【００３４】
（６．端末機の動作の概要）
以下、端末機２００の動作の概要について図４に加えて図５を用いて説明する。図５は端末機の動作の概要を示すフローチャートである。
【００３５】
操作者が端末機２００を起動させる行為を行う。例えば端末機２００を取り付けた窓等を開閉して端末機２００に内蔵されている発電部１０を動作させて端末機２００を起動させる。すなわち、端末機２００では、図５のステップ１１に示すように発電部１０での発電が行なわれ、限られる電力の電荷が蓄電部２０に蓄電されていく。その後、ステップ１２で、第２の電圧が制御回路４０の第１入力部４１に第１の時間ｔ１で印加され、制御回路４０は作動を開始する。
【００３６】
一方、電圧検知部７０には第１の電圧が常時入力されている。また電圧検知部７０は第１の電圧に応じた出力値を制御回路４０の第２入力部４２に常時入力している。制御回路４０は電圧検知部７０の出力値と対比するための第１閾値を有する。そして、制御回路４０の作動開始後に、信号処理回路５０はステップ１３で電圧検知部７０からの出力値が第１閾値を超えるかを対比する。電圧検知部７０からの出力値が第１閾値を超えていない場合にはステップ１３が繰り返される。
【００３７】
電圧検知部７０からの出力値が第１閾値を超えている場合、信号処理回路５０の処理はステップ１４に移る。ステップ１４で信号処理回路５０は前述した送信処理および登録データ決定処理を行う。
【００３８】
ステップ１４の送信処理では、不揮発性メモリ４４に格納された登録データに応じて出力信号を決定する。そして決定した出力信号を無線送信する。登録データ決定処理では、タイマ８０で計時した計測時間に基づいて登録データを決定する。また登録データを不揮発性メモリ４４に格納する。なお、この二つの処理の順序は特に限定されない。
【００３９】
（７．端末機における登録データ決定処理）
以下、端末機２００における登録データ決定処理について図４に加えて図６〜図８を用いて説明する。図６は端末機における登録データ決定処理の流れを示すフローチャート、図７は端末機における不揮発性メモリに対する登録データの格納の流れを示す図、図８は端末機における不揮発性メモリに対する登録データの格納の流れを示す図である。
【００４０】
端末機２００が起動されると、ステップ１３（図５）で信号処理回路５０は前述したように電圧検知部７０からの出力値と第１閾値とを対比する。電圧検知部７０からの出力値が第３の時間ｔ３で第１閾値を超えて、図６に示すように信号処理回路５０の処理がステップ２１に移行したとする。
【００４１】
ステップ２１で、信号処理回路５０は、ＲＡＭ１００のタイマ８０をリセットする。また、信号処理回路５０は、図４に示したように、第３の時間ｔ３から第２の時間ｔ２の間でタイマ８０での計時範囲を設定する。そして、計時範囲内に基準時間を設定する。計時範囲の終端時間は第２の時間ｔ２よりも前の時間に設定する。基準時間から終端時間までの間の時間は、不揮発性メモリ４４への登録データの格納可能な時間を含むように設定する。
【００４２】
その後、信号処理回路５０は、ステップ２２で、設定した計時範囲の始端時間からタイマ８０による計時を始めさせる。信号処理回路５０は、ステップ２３で、タイマ８０による計測時間と基準時間とを対比する。そして、この対比で、信号処理回路５０は登録データを決定し、決定した登録データを信号処理回路５０はステップ２４またはステップ２５で不揮発性メモリ４４に格納する。
【００４３】
ここで、不揮発性メモリ４４への登録データの格納状態などについて図７および図８を用いて詳しく説明する。
【００４４】
不揮発性メモリ４４は、図７および図８に示すように、端末機２００の起動時ごとに決定される登録データをそれぞれ格納する複数の格納箇所を有する。なお、以下では、判り易く説明するために、これらの格納箇所を総称するときに格納領域４５として記載し、図７および図８にも格納領域４５の符号を付している。
【００４５】
図７および図８に示すように、不揮発性メモリ４４の格納領域４５は、端末機２００の（ｍ−１）回目までの起動中にそれぞれ決定した（ｍ−１）回目までの登録データの格納箇所、今回であるｍ回目の起動中に決定するｍ回目の登録データの格納箇所、および（ｍ＋１）回目以後の起動中に決定する（ｍ＋１）回目以後の登録データの格納箇所を含む。なお、以後では短時間であったことを示す登録データを第１データと記載し、長時間であったことを示す登録データを第２データと記載して説明する。そして、図７および図８には、第１データは“１”、第２データは“０”で表記している。
【００４６】
端末機２００のｍ回目の起動の開始時点では、図７の上段、図８の上段に示すように、（ｍ−１）回目までの登録データが格納領域４５の対応する格納箇所にそれぞれ格納されている。ｍ回目の登録データの格納箇所および（ｍ＋１）回目以後の登録データの格納箇所には、予め第１データを格納している。ｍ回目以後の登録データの格納箇所に第１データを格納させるタイミングは少なくともステップ２４やステップ２５の前であればよい。
【００４７】
なお、格納領域４５内のｍ回目以後の登録データの格納箇所は、後述するペアリングパターンとの対比で用いないようになった過去分の登録データの格納箇所であってもよい。この場合でも同様に過去分の登録データの格納箇所には予め第１データを格納し直しておく。不揮発性メモリ４４は、書き込み回数の制限を受けることもあるので、これを緩和するように、格納領域４５を複数設けておき、複数の格納領域４５を代わる代わるに使用するなどとすると望ましい。その選択をするための選択用データを不揮発性メモリ４４に登録などさせておき、選択用データによって、使用する格納領域４５を決定するようにしてもよい。
【００４８】
図６に示したステップ２３で、信号処理回路５０は、ｍ回目でのタイマ８０による計測時間と基準時間とを対比する。タイマ８０による計測時間が基準時間以下の場合では、信号処理回路５０の処理は、図６に示すようにステップ２４に移行してｍ回目の登録データを第１データに決定する。つまり、図７の下段にも示すように、ステップ２４では格納領域４５のｍ回目の登録データの格納箇所は予め格納された第１データのままで、第１データの格納状態が維持される。
【００４９】
タイマ８０による計測時間が基準時間以下の場合になる場面としては、例えばタイマ８０での計時中で、かつ基準時間に至る前に、電圧検知部７０からの出力値が第１閾値よりも低くなって、この状態で（ｍ＋１）回目の起動がされて再び発電部１０が動作される場合である。この場合には、第１閾値よりも落ち込んでいた電圧検知部７０からの出力値が再度第１閾値を第４の時間で超える。この場合であっても、ステップ２４の処理にすることによって、（ｍ＋１）回目の端末機２００の起動開始時にｍ回目の登録データとして決定した第１データを対応するｍ回目の格納箇所に格納した状態にできる。これを考慮して、基準時間は、電圧検知部７０からの出力値が第１閾値よりも低くなる時間に設定すると望ましい。
【００５０】
図６に示したステップ２３で、タイマ８０による計測時間が基準時間を超えた場合には、信号処理回路５０の処理は、図６に示すようにステップ２５に移行してｍ回目の登録データを第２データに決定する。そして、信号処理回路５０はステップ２５ではｍ回目の登録データの格納箇所を第２データに格納し直す。つまり図８の下段にも示すように、信号処理回路５０は格納領域４５のｍ回目の登録データの格納箇所に第２データを格納し直す。
【００５１】
以上に説明したように、端末機２００では、ｍ回目の起動中でのタイマ８０による計測時間を基準時間と対比してｍ回目の登録データを決定する。そして、（ｍ＋１）回目の起動時には、不揮発性メモリ４４のｍ回目の登録データの格納箇所には、決定したｍ回目の登録データが格納された状態にできる。換言すれば、ｍ回目の登録データの決定および格納は、ｍ回目の起動内である制御回路４０が停止する第２の時間ｔ２までに完了する。
【００５２】
このように、端末機２００では、タイマ８０による計測時間に基づいて起動中での時間の長短の決定をして、その結果を得ている。これであれば時定数回路は不要であり、また時定数の設定および時定数回路に用いる抵抗、コンデンサの選択等も不要にできる。そして、タイマ８０などを使用したソフト処理のみにしたため、ソフトを変更するだけで柔軟に多様な設定の端末機２００を生産することができ、生産性の向上を図ることを可能とする。なお、以上では計時処理にタイマ８０を用いた場合を事例として説明したが、タイマ８０の代用としてソフト処理で計時可能なカウンタなどを用いてもよい。
【００５３】
なお、不揮発性メモリ４４は、書き込み回数の制限を受けることもあるので、これを緩和するように、格納領域４５を複数設けておき、複数の格納領域４５を代わる代わるに使用するなどとすると望ましい。その選択をするための選択用データを不揮発性メモリ４４に登録などさせておき、選択用データによって、使用する格納領域４５を決定するようにしてもよい。
【００５４】
また、送信処理の後に登録データ決定処理を行う場合では、タイマ８０の作動を開始する際に、制御回路４０は、動作クロックの周波数を、タイマ８０の作動を開始する前の動作クロック周波数に比べて、低くするか、もしくはタイマ８０の作動を開始した以降に下限電圧値を低下させて、限りある発電部１０からの電力で、より長く制御回路４０の作動状態を維持させることもできる。
【００５５】
なお以上では、基準時間を一つで説明したが、基準時間を二つ持たせて、一つ目の基準時間のみを超えた場合と、その後の二つ目の基準時間を超えた場合で、異なる登録データに決定するなどとしてもよい。
【００５６】
（８．端末機における送信処理）
以下、端末機における送信処理について、図３に加えて図９を用いて説明する。図９は端末機における送信処理の概要の流れを示すフローチャートである。
【００５７】
図３のステップ５で、操作者がｎ回目の行為によって端末機２００を起動させる。端末機２００は前述したステップ１３の条件を満たしてステップ３１に移行した場合、信号処理回路５０はステップ３１で不揮発性メモリ４４に蓄積された登録データを格納領域４５から読み出す。登録データの読み出し範囲などについては次の項で説明する。
【００５８】
続いて、信号処理回路５０は、ステップ３２で読み出した読み出しパターンと予め決定されているペアリングパターンとの対比をする。読み出しパターンがペアリングパターンに合致しない場合、信号処理回路５０の処理はステップ３３に移行し、信号処理回路５０は出力部４３から第２信号を生成し出力して、第２信号を無線回路６０を介して無線送信する。
【００５９】
ステップ３２で、読み出しパターンがペアリングパターンに合致した場合、信号処理回路５０の処理はステップ３４に移行し、信号処理回路５０は出力部４３からペアリングモード信号である第１信号を生成し出力して、第１信号を無線回路６０を介して無線送信する。
【００６０】
（９−１．端末機において送信処理を登録データ決定処理の前に行う場合での登録データの読み出し範囲）
次に、端末機２００が送信処理を登録データ決定処理の前に行う場合での格納領域４５からの読み出し範囲について図１０を用いて説明する。図１０は端末機における登録データの読み出し範囲を説明する図である。なお、判り易く説明するために、ペアリングパターンは（ｎ−２）個の個数のパターン列であるとする。登録データは、前述したとおりの第１データもしくは第２データである。
【００６１】
図１０の上段に示したように、端末機２００の（ｎ−２）回目の起動開始時点では、格納領域４５には１回目の起動中に決定した１回目の登録データから（ｎ−３）回目の起動中に決定した（ｎ−３）回目の登録データが格納領域４５の対応する格納箇所に格納されている。なお、格納領域４５の（ｎ−２）回目以後の登録データを格納する各々の格納箇所には、前述したとおりに第１データが仮に格納されている。
【００６２】
この状態で、端末機２００は（ｎ−２）回目での送信処理を行う。まず、信号処理回路５０は、直近の登録データから時間順に過去の登録データに向けてさかのぼって格納領域４５の登録データを読み出す。読み出す登録データの最大個数は、ペアリングパターンの配列数と同数である。つまり、（ｎ−２）回目の送信処理では、（ｎ−３）回目の登録データ、（ｎ−４）回目の登録データ、・・・、２回目の登録データ、１回目の登録データまでの格納箇所を読み出し範囲４５Ａとしてそれぞれの登録データを順に読み出す。なお、（ｎ−２）回目の起動中では、読み出される登録データの個数はペアリングパターンの配列数より一つ少ない（ｎ−３）個となる。そして、読み出した登録データからなる読み出しパターンをペアリングパターンと対比する。（ｎ−２）回目での読み出した個数はペアリングパターンの個数よりも少ないので、読み出しパターンとペアリングパターンとは相違すると判定され、信号処理回路５０は第２信号（通常モード信号）に決定して、生成した第２信号を無線送信する。その後、（ｎ−２）回目の端末機２００の起動中で格納領域４５の（ｎ−２）回目の格納箇所に（ｎ−２）回目の登録データが格納される。なお、（ｎ−２）回目の登録データは、第１データのままで維持されたとして図示している。
【００６３】
続いて、図３のステップ４で、端末機２００が（ｎ−１）回目で起動されると、図１０の中段に示すように、（ｎ−２）回目の場合と同様に登録データを格納領域４５から読み出す。読み出す登録データはペアリングパターンの配列数と同数であるため、（ｎ−１）回目の送信処理では、（ｎ−２）回目の登録データ、（ｎ−３）回目の登録データ、・・・、２回目の登録データ、１回目の登録データまでの格納箇所を読み出し範囲４５Ｂとしてそれぞれの登録データを順に読み出す。その後、読み出しパターンとペアリングパターンとを対比して相応する出力信号が無線送信される。ここでは、読み出しパターンとペアリングパターンとが相違すると判定されて第２信号を送信したとする。その後、（ｎ−１）回目の端末機２００の起動中で格納領域４５の（ｎ−１）回目の格納箇所に（ｎ−１）回目の登録データが格納される。なお、（ｎ−１）回目の登録データは、第２データで格納し直されたとして図示している。
【００６４】
続いて、図３のステップ５で、端末機２００がｎ回目で起動されると、図１０の下段に示すように、ペアリングパターンの配列数と同数の（ｎ−１）回目の登録データ、（ｎ−２）回目の登録データ、・・・、３回目の登録データ、２回目の登録データまでの格納箇所を読み出し範囲４５Ｃとしてそれぞれの登録データを順に読み出す。そして、読み出した登録データからなる読み出しパターンをペアリングパターンと対比し、両者が合致したと判定されたとする。この場合、ｎ回目の端末機２００の起動中に信号処理回路５０は、第１信号（ペアリングモード信号）に決定する。そして、生成した第１信号をアンテナ６１を介して無線送信する。そして、このペアリングモード信号を親無線機５００が受信して判定し、条件を満たしていればペアリングが完了する。なお、図１０内では、その後に、ｎ回目の起動中の登録データを格納領域４５のｎ回目の格納箇所に格納させる図示をしているが、ペアリングの完了に応じてｎ回目での登録データの格納は実施しなくてもよい。また、ｎ回目の読み出しでは１回目の登録データは用いない。この１回目の登録データの格納箇所が前述した過去分の登録データの格納箇所にあたる。
【００６５】
なお、ペアリングモードの判定をするための読み出し範囲は、上述した設定のみに限定されない。例えば、格納箇所の内で予め参照対象を定めておき、参照対象とした所定の格納箇所の登録データに基づいてペアリングモードの判定をしてもよい。例えば、一つおきの格納箇所を参照対象としておくと、窓やドアの開状態から閉状態とする行為のみ、またはその逆での行為のみで得られる登録データを元にペアリングモードの判定をすることも可能である。なお、この場合、参照対象とする格納箇所は２以上が望ましい。
【００６６】
（９−２．端末機において送信処理を登録データ決定処理の後に行う場合での登録データの読み出し範囲）
次に、端末機２００が送信処理を登録データ決定処理の後で行う場合での格納領域４５からの読み出し範囲について図１１を用いて説明する。図１１は端末機における登録データの読み出し範囲を説明する図である。なお、判り易く説明するために、ペアリングパターンは（ｎ−１）個の個数のパターン列であるとする。登録データは、前述したとおりの第１データもしくは第２データである。
【００６７】
端末機２００は、（ｎ−２）回目の登録データ決定処理をした後で（ｎ−２）回目の送信処理を行う。つまり、図１１の上段に示したように、（ｎ−２）回目の送信処理の前では、１回目の起動中に決定した１回目の登録データから（ｎ−２）回目の起動中に決定した（ｎ−２）回目の登録データのそれぞれが格納領域４５の対応する格納箇所に格納されている。なお、格納領域４５の（ｎ−１）回目以後の格納箇所には、前述したとおりに第１データが仮に格納されている。
【００６８】
この状態で、端末機２００は（ｎ−２）回目の送信処理を行う。まず、信号処理回路５０は、直近の登録データから時間順に過去の登録データに向けてさかのぼって格納領域４５の登録データを読み出す。なお、読み出す登録データの最大個数は、ペアリングパターンの配列数と同数である。つまり、（ｎ−２）回目の端末機２００の送信処理では、（ｎ−２）回目の登録データ、（ｎ−３）回目の登録データ、・・・、２回目の登録データ、１回目の登録データまでの格納箇所を読み出し範囲４５Ｄとしてそれぞれの登録データを順に読み出す。なお、（ｎ−２）回目では、読み出される登録データの個数はペアリングパターンの配列数より一つ少ない（ｎ−２）個であるため、読み出した登録データからなる読み出しパターンはペアリングパターンとの対比で相違すると判定され、信号処理回路５０は第２信号を無線送信する。
【００６９】
続いて、図３のステップ４で、端末機２００が（ｎ−１）回目で起動されると、（ｎ−１）回目の送信処理の前に（ｎ−１）回目の登録データ決定処理が行われ、図１１の中段に示すように、格納領域４５の対応する格納箇所に（ｎ−１）回目の登録データが格納される。なお、（ｎ−１）回目の登録データは第２データに格納し直されたとして図示している。
【００７０】
その後、端末機２００は（ｎ−１）回目での送信処理を行う。信号処理回路５０は、直近の登録データから時間順に過去の登録データに向けてさかのぼって格納領域４５の登録データを読み出す。読み出す登録データの最大個数は、ペアリングパターンの配列数と同数であり、（ｎ−１）回目の送信処理のときには、（ｎ−１）回目の登録データ、（ｎ−２）回目の登録データ、・・・、２回目の登録データ、１回目の登録データまでの格納箇所を読み出し範囲４５Ｅとしてそれぞれの登録データを順に読み出す。その後、読み出しパターンとペアリングパターンとを対比して相応する出力信号が無線送信される。ここでは、読み出しパターンとペアリングパターンとが相違すると判定されて第２信号を送信したとする。
【００７１】
続いて、図３のステップ５で、端末機２００がｎ回目で起動されると、ｎ回目の送信処理の前にｎ回目の登録データ決定処理が行われ、図１１の下段に示すように、ｎ回目の登録データが格納領域４５の対応する格納箇所に格納される。なお、ｎ回目の登録データは第２データに格納し直されたとして図示している。
【００７２】
その後、端末機２００はｎ回目での送信処理を行う。信号処理回路５０は、直近の登録データから時間順に過去の登録データに向けてさかのぼって格納領域４５の登録データを読み出す。読み出す登録データの最大個数は、ペアリングパターンの配列数と同数であり、ｎ回目の送信処理のときには、ｎ回目の登録データ、（ｎ−１）回目の登録データ、・・・、３回目の登録データ、２回目の登録データまでの格納箇所を読み出し範囲４５Ｆとしてそれぞれの登録データを順に読み出す。その後、読み出しパターンとペアリングパターンとを対比する。ここでは、読み出しパターンとペアリングパターンとが合致したとの判定結果であったとする。この場合、ｎ回目の起動中に、信号処理回路５０は第１信号（ペアリングモード信号）を無線送信する。そして、このペアリングモード信号を親無線機５００が受信して判定し、条件を満たしていればペアリングが完了する。なお、ｎ回目の送信処理では１回目の登録データは用いない。この１回目の登録データの格納箇所が前述した過去分の登録データの格納箇所にあたる。
【００７３】
なお、送信処理を登録データ決定処理の後に行う場合では、決定されたｍ回目の登録データを直接用いてｍ回目の送信処理を行い、その後にｍ回目の登録データを格納領域４５の対応する格納箇所に格納してもよい。
【００７４】
なお、この場合でも、ペアリングモードの判定をするための読み出し範囲は、上述した設定のみに限定されないことは前項の場合と同じである。つまり、格納箇所の内で予め参照対象を定めておき、参照対象とした所定の格納箇所の登録データに基づいてペアリングモードの判定をしてもよい。例えば、一つおきの格納箇所を参照対象としておくと、窓やドアの開状態から閉状態とする行為のみ、またはその逆での行為のみで得られる登録データを元にペアリングモードの判定をすることが可能であり、この場合、参照対象とする格納箇所は２以上が望ましい。
【００７５】
（１０．端末機の複数回連続の起動による処理の推移）
端末機２００を複数回連続して起動した場合の処理の推移について図１２から図１４を用いて説明する。図１２は、本発明の実施の形態１による端末機の複数回の起動した場合の処理の推移を示す。前述のように端末機２００の起動の時間間隔が、短時間の場合と長時間の場合がある。なお、この項での説明では、長時間であることを示す登録データは第１データと定義して“１”で表記し、短時間であることを示す登録データは第２データと定義して“０”と表記する。そして、ここでは、ｎ−６回目の起動は、長時間と相当すると仮定する。ｎ−５回目の起動時の第１の電圧、処理の推移は、図４と同様である。ｎ−４回目の起動時は、ｎ−５回目の起動時の端末機２００の起動の時間間隔を長時間と判定する。一方、ｎ−３回目の起動時は、ｎ−４回目の起動時の端末機２００の起動の時間間隔を短時間と判定する。以下、ｎ−２回目の起動時は、ｎ−３回目の起動時の端末機２００の起動の時間間隔を長時間、ｎ−１回目の起動時は、ｎ−２回目の起動時の端末機２００の起動の時間間隔を短時間、ｎ回目の起動時は、ｎ−１回目の起動時の端末機２００の起動の時間間隔を短時間と判定する。それぞれの起動時には、判定時間に応じた登録データが対応する格納部に格納される。ペアリングパターンが「１０１００（長短長短短）」であった場合、ｎ−５回目からｎ−１回目に相当する格納部に格納された登録データと一致するため、ペアリングモードと判定され、ペアリングモードの第１信号を無線送信する。ペアリングモードと判定されない場合は、通常モードの第２信号を無線送信する。
【００７６】
図１３は、図１２の一部の拡大を示す。ｎ−５回目の起動時は、登録データ決定処理において、タイマ８０の計測時間が基準時間を超えた後、登録データを第１データとして格納する。第１の電圧が下限電圧値を下回る時間ｔ２において制御回路４０が停止する。ｎ−４回目の起動時は、第１の電圧が下限電圧値を超えると制御回路４０が作動を開始する。第１の電圧の値は第３の時間ｔ３で第１閾値を超えて、割り込みが発生する。ｎ−５回目の起動時の登録データ決定処理において、登録データとして長時間であったことを示す第１データが格納されている。つまり、端末機２００の前回での起動の時間間隔を長時間と判定して送信処理がなされる。送信処理後、登録データ決定処理を開始するが、タイマ８０の計測時間が基準時間を超える前に発電部１０の発電により、第１の電圧の値が前述したように第４の時間ｔ４で第１閾値を超える。これによって、割り込みが発生する。送信処理において、この場合、登録データとして第１データが格納されていないため、登録データを、端末機２００の起動の時間間隔を短時間であったことを示す第２データとする。その方法については、後述する。
【００７７】
図１４は、図１２の処理での不揮発性メモリに対する登録データの格納の流れを示す図である。図の四角は、不揮発性メモリ４４の格納領域４５のＤ０からＤ６までの格納部を示す。
【００７８】
ｎ−６回目の起動は、ここでは長時間と相当すると仮定しているため、ｎ−５回目の起動時には、格納部Ｄ６には、「１」（端末機の起動の時間間隔が長時間）が格納されている。割り込みにより、まず格納領域４５の格納部Ｄｐ（６≧ｐ≧１：正の整数）の登録データを格納部Ｄｐ−１に移すデータシフト処理を行う。次に、Ｄ６に「０」（端末機の起動の時間間隔が短時間）を格納する。次にペアリング判定を行う。ここでは、ペアリングパターンが「１０１００（長短長短短）」としているため、格納部Ｄ１からＤ５の登録データは、「１００００」となり、パターンは一致しない。よって、通常モードと判定される。ｎ−５回目の起動では、タイマ８０の計測時間が、基準時間を超えるため、基準時間を超えた後、格納部Ｄ６に、「１」（端末機の起動の時間間隔が長時間）を格納する。登録データ決定処理は終了する。
【００７９】
ｎ−４回目の起動時には、データシフト処理と、格納部Ｄ６への「０」の格納とペアリング判定とを行う。タイマの計測時間が、基準時間を超える前に、発電部１０の発電により、ｎ−３回目の起動が開始される。
【００８０】
ｎ−３回目の起動時には、タイマ８０の計測時間が、基準時間を超えないため、格納部Ｄ６に、「１」が格納されておらず、ｎ−４回目の起動時に格納された「０」が格納されたままである。つまり、タイマ８０の計測時間が、基準時間を超えないことを示す「０」を予め格納しておくことで、次の起動時に端末機２００の起動の時間間隔が短かったことを判定することができる。
【００８１】
ｎ−２回目の起動時には、ｎ−３回目の起動におけるタイマ８０の計測時間が、基準時間を超えているため、Ｄ６には「１」が格納されている。
【００８２】
以上のように、端末機２００の起動の時間間隔を登録していくことで、タイマ８０の計測時間が基準時間を超える前に発電により割込みが発生しても、ペアリングモードを判定できる。
【００８３】
なお、ペアリングモードの判定をするための参照対象とする格納部Ｄｐは上記の場合のみに限定されない。例えば、格納部Ｄｐの内で予め参照対象を定めておき、参照対象とした所定の格納部の登録データに基づいてペアリングモードの判定をしてもよい。例えば、一つおきの格納部を参照対象としておき、窓やドアの開状態から閉状態とする行為、またはその逆での行為で得られる登録データを元にペアリングモードの判定をしてもよい。なお、少なくとも参照対象とする所定の格納部は２以上であると望ましい。
【００８４】
なお、タイマ８０は、定期的な時間間隔でカウントを行うカウンタであってもよく、カウンタによるカウント値を元に、１以上の回数で、対応する格納部の登録データを更新する等にしてもよい。
【００８５】
（１１．無線システムのペアリングシーケンス）
無線システムのペアリングシーケンスについて図１５Ａ、図１５Ｂを用いて説明する。本シーケンスは、図１２から図１４と対応している。
【００８６】
まず、ステップＳ１００（以下、ステップ略）において、操作者が、受信機側である親無線機５００をペアリングモードに設定するためにスマートフォンやタブレットなどの携帯端末を所定操作する。これによって携帯端末を通じてＳ１０２に記載したようにペアリング開始となる。つまり、操作者による携帯端末への所定操作で、Ｓ１０２では携帯端末から親無線機５００にペアリングモード設定を要求する。Ｓ１０４において、親無線機５００は、ペアリングモードに移行する。Ｓ１０６において、窓あるいは、ドアを開もしくは閉（以下、起動部１０Ａを起動とする）にし、送信機側となる端末機２００での発電操作を行う。Ｓ１０８において端末機２００は、割込みとモード判定を行う。ｎ−５回目の起動においては、前述のように通常モードと判定され、親無線機５００に通常送信する。つまり、親無線機５００に第２信号を送信する。同じデータの通常送信を２回行い、親無線機５００が同じデータを受信すれば、正常送信できた事が確認でき、信頼性を上げることができる。送信は、２回に限定されないが、送信できる回数は、発電部１０の電力量に依存する。送信が１回でも別の方法で正常送信できたことが確認できれば、１回でも良い。Ｓ１１０において親無線機５００は、未登録送信機と判定し、第２信号の送信されたデータを破棄する。送信されるデータは、開閉される窓やドアのその都度の開閉状態を示す。Ｓ１１２において、端末機２００はタイマ８０での計時を開始する。Ｓ１１４において、端末機２００は、タイマ８０による計測時間が基準時間を超えたため、長判定記録を行う。その後、第１の電圧が下限電圧値よりも下がることで端末機２００は停止する。Ｓ１１６において、起動部１０Ａを起動し、端末機２００を発電操作する。Ｓ１１８において端末機２００は、割込みとモード判定を行う。ｎ−４回目の起動においては、前述のように通常モードと判定され、親無線機５００に通常送信する。
【００８７】
Ｓ１２０において親無線機５００は、未登録送信機と判定し、送信されたデータを破棄する。Ｓ１２２において、端末機２００はタイマ８０での計時を開始する。端末機２００のタイマ８０は計測時間が基準時間を超えず、Ｓ１２４において、起動部１０Ａを起動し、端末機２００を発電操作する。Ｓ１２６において端末機２００は、割込みとモード判定を行う。ｎ−３回目の起動においては、前述のように通常モードと判定され、親無線機５００に通常送信する。
【００８８】
以下、Ｓ１２８、Ｓ１３６において、通常送信を受信した場合は、親無線機５００は、未登録送信機と判定し、データを破棄する。Ｓ１３０、Ｓ１３８において、端末機２００はタイマ８０での計時を開始する。Ｓ１３２、Ｓ１４０において、起動部１０Ａを起動し、端末機２００を発電操作する。
【００８９】
Ｓ１４２において、端末機２００は、割込みとモード判定を行う。ｎ回目の起動においては、前述のように登録データがペアリングパターンと一致する。これによって、端末機２００は、ペアリングモードに応じた第１信号を生成し、親無線機５００にペアリング要求送信をする。Ｓ１４４において、親無線機５００は、ペアリング要求判定を行い、端末機２００の仮登録と暗号鍵の生成をして、端末機２００にペアリング応答と、暗号鍵を送信する。Ｓ１４６において、端末機２００は暗号鍵を保存し、記録パターンリセットをする。記録パターンとは、格納領域４５内でペアリングパターンに対比する範囲での登録データである。Ｓ１４８において、端末機２００は、タイマ８０での計時を開始する。Ｓ１５０において起動部１０Ａを起動し、端末機２００を発電操作する。Ｓ１５２において、端末機２００は割込みとモード判定を行う。通常モードと判定され、先のＳ１４４において送信された暗号鍵により暗号化した送信データを第２信号として親無線機５００に通常送信する。Ｓ１５４において、端末機２００はタイマ８０での計時を開始する。Ｓ１５６において、親無線機５００はＳ１５２によって送信された送信データの暗号鍵を先のＳ１４４において送信した暗号鍵と照合して登録済送信機判定を行う。親無線機５００は、仮登録した端末機２００であることが確認できれば、端末機２００を本登録し、送信された暗号化データの復号を行い、開閉情報および、開閉情報に加えて端末機２００を本登録したこと、本登録した端末機２００の情報を携帯端末に送信する。Ｓ１５８において、携帯端末は、本登録された端末機２００の登録・開閉状態を表示する。すなわち、操作者に本登録された端末機２００の情報や開閉の情報が提示されて、携帯端末を通してのペアリングがＳ１６２において終了する。なお、Ｓ１６０において、親無線機５００は予め決められた時間が経過したあと、通常モードに移行する。
【００９０】
このように、無線システムは、通常モードからペアリングモードに移行し、所定の動作を終えた後、通常モードに戻る。
【００９１】
なお、Ｓ１５０を行う制御にすることで、操作者は、携帯端末から対象とする端末機２００のペアリングの完了を確認できる。
【００９２】
（１２．制御回路の状態遷移）
端末機２００がペアリングするまでの制御回路４０の状態遷移について、図１６を用いて説明する。
【００９３】
まず、状態ＳＴ２００（以下、状態略）において、第１の電圧が下限電圧を超えて制御回路４０が作動を開始する。
【００９４】
次に第１の電圧が第１閾値を超えて、ＳＴ２１０割り込みに移行する。第１の電圧が第１閾値を超えるとは、第１の電圧が第１閾値よりも小さい値から大きい値に変化することをいい、常に第１の電圧が第１閾値より大きい状態を意味していない。
【００９５】
割込みにより、ＳＴ２２０の格納領域シフトおよび格納部Ｄ６に「０」を記録と、ＳＴ２３０の送信処理と、を行う。送信処理では送信する出力信号を決定する。つまりモード決定と送信を行う。ＳＴ２２０とＳＴ２３０は、同時に行われて良いし、いずれかが終了してから他方を行っても良い。ＳＴ２３０の終了後、ＳＴ２４０登録データ決定処理に移行する。なお、ＳＴ２４０の登録データ決定処理は、送信処理の終了後としたが、ＳＴ２１０の割込み終了後としてもよい。あるいは、ＳＴ２２０の終了後としても良い。
【００９６】
ＳＴ２４０登録データ決定処理において、まず、ＳＳ２００でタイマ８０をスタートさせる。次にＳＳ２１０のタイマ動作に移行する。ＳＳ２１０においては、タイマ計測値が基準値より小さい場合、ＳＳ２１０タイマ動作を継続する。タイマ計測値が基準値以上の場合、ＳＳ２２０長記録に移行する。なお、基準値より小さい場合としたが、基準値以下としても良い。その場合、基準値以上は、基準値より大きいとし、排他的な関係にする。
【００９７】
Ｓ２２０長記録において、格納部Ｄ６に「１」を記録する。また、ＳＴ２４０登録データ決定処理において、第１の電圧が第１閾値を超えた場合、ＳＴ２１０割り込みに移行する。
【００９８】
つまり、前述の端末機２００での今回の起動の時間間隔が短い場合、ＳＳ２２０の状態に移行せず、長記録が行われないことになる。
【００９９】
そして、ＳＳ２２０が終了するか、いずれの状態であっても第１の電圧が下限電圧より下がるとＳＴ２６０で制御回路４０の動作は終了する。
【０１００】
なお、電力に余裕がある場合等には、ＳＴ２３０送信処理の終了をまたずに、ＳＴ２４０の登録データ決定処理を開始しても良い。ただし、ＳＴ２２０は、ＳＳ２２０が開始する前に終了して前回までの起動時の登録データを上書きされないように考慮する必要がある。図１６の場合、タイマ計測値が基準値以上となる前にＳＴ２２０は終了させておく。
【０１０１】
（実施の形態２）
本実施の形態２における端末機と端末機の制御方法、並びにこの端末機を用いた無線通信システムについて図１から図３と図１７から図２６を用いて以下に説明する。図１から図３は本実施の形態１と構成は同じである。同じ符号については、詳細な説明は省略する。また、（１．端末機と親無線機の関係）（２．端末機の電気的構成）（３．親無線機の電気的構成）実施の形態１と同じなため、詳細な説明は省略する。
【０１０２】
本実施の形態２における端末機の制御回路４０は、カウンタ８０を含んでいる。カウンタ８０は、制御回路４０で制御可能であれば制御回路４０以外に設けられていてもよい。カウンタ８０の代用としてタイマなどを用いてもよい。
【０１０３】
（４．端末機および親無線機との間のペアリングの流れ）
次に、端末機２００を親無線機５００にペアリングする際の流れについて図３を用いて説明する。図３は端末機と親無線機との間でのペアリング時の流れを説明するフローチャートである。
【０１０４】
操作者は、図３に示すステップ１で、親無線機５００をペアリングモードに切り換える。操作者は端末機２００を使用する使用者であり、窓等の施工業者なども含む。その後、操作者は、図３のステップ２からステップ５に示すように、端末機２００を繰り返して複数回起動させる。すなわち、操作者は例えば端末機２００を取り付けた窓を閉じている状態から開ける、あるいは開けている状態から閉める行為を繰り返して行う。端末機２００はステップ２からステップ４の各々で起動し、各々の起動中に詳細は後述するが登録データの決定や登録データに基づいた送信信号の決定などを行う。そして、端末機２００は、ステップ２からステップ４の各々では第２信号（通常モード信号）を送信する。しかしながら、親無線機５００は端末機２００とのペアリングをしていないのでこれらの第２信号を無視する。そして、ステップ５で、操作者が、端末機２００をｎ回目に起動させると、端末機２００の制御回路４０は、登録データに基づいた送信信号の決定のために、予め設定されたペアリングパターンと、例えば（ｎ−１）回目までの登録データとｎ回目の登録データを不揮発性メモリ４４から読み出して対比する。ペアリングパターンと読み出したパターンとが合致した場合、端末機２００は第１信号（ペアリングモード信号）を無線送信する。その後、ステップ６で親無線機５００は第１信号を受信して判別し、条件の合致する場合に端末機２００を認定してペアリングを完了させる。
【０１０５】
（５．端末機の起動中での各電圧の推移）
端末機２００の起動中での第１の電圧および第２の電圧の推移について説明する。なお、詳細は後述するが、端末機２００は、起動中に送信処理、カウントデータ定期保存処理、登録データ決定処理を行う。これらの処理を行う順序で電圧の推移は異なるが、カウントデータ定期保存処理や登録データ決定処理を行う前に送信処理を行う場合を例として以下に図１７を用いて説明する。図１７は、端末機の起動中での電圧の推移を示す図である。
【０１０６】
操作者が、端末機２００を起動させる行為を行うことによって端末機２００に内蔵されている発電部１０が動作して電力を発電する。発電部１０で発電される電力は蓄電部２０に蓄電されていく。蓄電部２０の第１の電圧の値は図１７に示すように時間的に急な傾斜をもって上昇していく。第１の電圧の値は第１の時間ｔ１で制御回路４０の作動可能な下限電圧値を超える。第１の時間ｔ１以後、電圧変換部３０は一定の第２の電圧を制御回路４０に印加する。第２の電圧はＤＣ電圧である。
【０１０７】
制御回路４０は、第２の電圧を印加されることによって作動を開始し、送信処理を行う。送信処理は無線送信を含むので多くの電力を必要とする。つまり、蓄電部２０に蓄電されていく電力は送信処理中に多く消費される。このために、第１の電圧は、送信処理を行なっている時間の間でピーク値をもつように推移する。その後、制御回路４０はカウントデータ定期保存処理や登録データ決定処理を行う。カウントデータ定期保存処理や登録データ決定処理を行う際にも制御回路４０は電力を消費するが、その消費量は送信処理中よりも少ない。このため、送信処理の後では第１の電圧は時間経過と共に緩やかに低下していく。
【０１０８】
そして、電力が消費されていくことによって第１の電圧は第２の時間ｔ２で下限電圧値より低下する。第１の電圧が下限電圧値よりも低くなった時点で制御回路４０への第２の電圧の供給は停止される。これによって制御回路４０は作動を停止する。このように、端末機２００は、発電部１０からの限られた電力のみで第１の時間ｔ１から第２の時間ｔ２の間で作動可能に構成されている。
【０１０９】
（６．端末機の動作の概要）
以下、端末機２００の動作の概要について図１７に加えて図１８、図１９を用いて説明する。図１８は端末機の動作の概要を示すフローチャートである。図１９は端末機の不揮発性メモリの第１領域と第２領域を模式的に示す図である。
【０１１０】
操作者が端末機２００を起動させる行為を行う。例えば端末機２００を取り付けた窓等を開閉して端末機２００に内蔵されている発電部１０を動作させて端末機２００を起動させる。すなわち、端末機２００では、実施の形態１の場合と同様に、図１８のステップ１１に示すように発電部１０での発電が行なわれ、限られる電力の電荷が蓄電部２０に蓄電されていく。その後、ステップ１２で、第２の電圧が制御回路４０の第１入力部４１に第１の時間ｔ１で印加され、制御回路４０は作動を開始する。
【０１１１】
一方、電圧検知部７０には第１の電圧が常時入力されている。また電圧検知部７０は第１の電圧に応じた出力値を制御回路４０の第２入力部４２に常時入力している。制御回路４０は電圧検知部７０の出力値と対比するための第１閾値を有する。そして、制御回路４０の作動開始後に、信号処理回路５０はステップ１３で電圧検知部７０からの出力値が第１閾値を超えるかを対比する。電圧検知部７０からの出力値が第１閾値を超えていない場合にはステップ１３が繰り返される。
【０１１２】
電圧検知部７０からの出力値が第１閾値を超えている場合、信号処理回路５０の処理はステップ４０に移る。ステップ４０で信号処理回路５０は前述した三つの処理（送信処理、カウントデータ定期保存処理、登録データ決定処理）を行う。これらの三つの処理は不揮発性メモリ４４への所定処理を含んでいる。ここに不揮発性メモリ４４内の領域は特段区分けされるものではないが、判り易く説明するために、以下では三つの処理で用いる不揮発性メモリ４４内の領域を第１領域４６と第２領域４７と記載して説明する。図１９は端末機の不揮発性メモリの第１領域と第２領域を模式的に示す図であり、図１９に示したように、不揮発性メモリ４４は、登録データ用の領域としての第１領域４６と、カウントデータ用の領域としての第２領域４７を有する。なお、第２領域４７は、ｍ回目での計測時間を定期的に保存する保存箇所に相当する。
【０１１３】
ステップ４０の送信処理では、不揮発性メモリ４４の第１領域４６に格納されている登録データに応じて出力信号を決定する。そして決定した出力信号を無線送信する。カウントデータ定期保存処理では、カウンタ８０が作動され、カウントされたカウント値に基づいたカウントデータを、定期的に、不揮発性メモリ４４の第２領域４７に保存していく。カウントデータはカウント値そのものであってもよい。登録データ決定処理では、カウントデータに基づいて登録データを決定する。また登録データを不揮発性メモリ４４の第１領域４６に格納する。なお、三つの処理の順序は特に限定されない。
【０１１４】
（７．端末機におけるカウントデータ定期保存処理）
まず、端末機２００におけるカウントデータ定期保存処理について図１７に加えて図２０を用いて説明する。図２０は端末機におけるカウントデータ定期保存処理の流れを示すフローチャートである。
【０１１５】
端末機２００が起動されると、ステップ１３で信号処理回路５０は前述したように電圧検知部７０からの出力値と第１閾値とを対比する。そして、前述の実施形態１の場合と同様に、電圧検知部７０からの出力値が第３の時間ｔ３で第１閾値を超えて、図２０に示したように信号処理回路５０の処理がステップ５１に移行したとする。信号処理回路５０はステップ５１でカウンタ８０をリセットする。また、信号処理回路５０は、図１７に示したように、カウンタ８０の作動可能な時間範囲および基準時間を設定する。また、信号処理回路５０は、基準時間に至った場合でのカウンタ８０によるカウント値に基づくカウントデータに応じた規定値も設定する。カウンタ８０は信号処理回路５０で制御され、信号処理回路５０の制御によってカウンタ８０は設定された時間範囲の始端時間から作動を開始する。始端時間は第３の時間ｔ３以後である。そして、設定された時間範囲の終端時間に至るとカウンタ８０は信号処理回路５０の制御で作動を停止する。
【０１１６】
その後、ステップ５２に移行して、カウンタ８０は信号処理回路５０の制御で始端時間から作動を開始する。カウンタ８０は例えば発振器７２でのクロックを基にカウントを重ねていく。カウンタ８０でカウントするカウント値としては、例えば一定時間が経過する毎に一定の数値が加わっていくインクリメンタル式またはデクリメント式でのカウント値を得るようにすると望ましい。
【０１１７】
そして、ステップ５３では、信号処理回路５０は時間経過と共に増加または減少していくカウンタ８０からのカウント値に基づいたカウントデータを、定期的に、不揮発性メモリ４４の第２領域４７に保存させていく。カウントデータはカウント値そのものであってもよい。第２領域４７へのカウントデータの保存はカウント値の増減の都度で行ってもよいし、または別途保存のための時間間隔を設定して行ってもよい。以上の説明から判るように、カウンタ８０はカウントを開始する始端時間からの経過時間を計測するために用いている。このため、カウンタ８０の代用としてタイマを用いることも可能である。なお、カウンタ８０は、停止する終端時間を設けることなく第２の時間ｔ２で停止するようにしてもよい。または、基準時間を超えて得られるカウントデータを不揮発性メモリ４４の第２領域４７に保存した後、終端時間までカウントを続けることなく停止してもよい。
【０１１８】
カウンタ８０によるカウント中で、かつ基準時間に至る前に、電圧検知部７０からの出力値が第１閾値よりも低くなり、この状態で再び発電部１０が動作されることもある。この場合には、第１閾値よりも落ち込んでいた電圧検知部７０からの出力値が第１閾値を再度第４の時間で超えることとなり、制御回路４０は第４の時間を第３の時間に置き換えて以上に説明した制御を繰り返す。つまり、端末機２００は第４の時間から次回の起動状態である。この場合であっても、前回の起動中でのカウントデータは定期的に第２領域４７に保存されていくので、第４の時間の直前となる前回のカウントデータは第２領域４７に確実に保存される。なお、カウントデータ定期保存処理は、電力の消費状態等を考慮すれば、端末機２００の起動内での最後尾に処理を行うようにすると望ましい。
【０１１９】
（８．端末機における登録データ決定処理）
以下、端末機２００における登録データ決定処理について、図１７に加えて図２１〜図２３を参照しつつ説明する。図２１は端末機における登録データ決定処理の流れを示すフローチャート、図２２は端末機における不揮発性メモリに対する登録データの格納の流れを示す図、図２３は端末機における不揮発性メモリに対する登録データの格納の流れを示す図である。
【０１２０】
端末機２００が起動されると、ステップ１３で信号処理回路５０は前述したように電圧検知部７０からの出力値と第１閾値とを対比する。電圧検知部７０からの出力値が第３の時間ｔ３で第１閾値を超えて、図２１に示すように信号処理回路５０の処理がステップ６１に移行したとする。
【０１２１】
ステップ６１で、信号処理回路５０は、不揮発性メモリ４４の第２領域４７からカウントデータを読み出す。その後、ステップ６２で、信号処理回路５０は、読み出したカウントデータを前述した基準時間に応じた規定値と対比する。なお、この規定値との対比によって、例えば窓の開閉に応じた行為が長時間に相当するか短時間に相当するかを判別する。
【０１２２】
読み出したカウントデータが規定値以下である場合、信号処理回路５０の処理はステップ６３に移行し、ステップ６３でカウントデータが規定値以下であったこと（つまり短時間であったこと）を示す第１データに決定する。読み出したカウントデータが規定値を超える場合、信号処理回路５０の処理はステップ６４に移行し、ステップ６４でカウントデータが規定値を超えたこと（つまり長時間であったこと）を示す第２データに決定する。ステップ６３またはステップ６４で決定された登録データである第１データまたは第２データは不揮発性メモリ４４の第１領域４６に格納される。
【０１２３】
以上に説明した登録データ決定処理とカウントデータ定期保存処理との処理順序は限定されない。そして、この処理する順序によって異なるカウントデータが用いられる。その説明を含めて第１データまたは第２データの不揮発性メモリ４４の第１領域４６への格納の流れなどを図２２および図２３を用いて説明する。図２２、図２３では、カウントデータ定期保存処理の前に登録データ決定処理を行う場合を図示している。
【０１２４】
図２２、図２３に示したように、不揮発性メモリ４４の第１領域４６は、端末機２００の起動時ごとに決定される登録データをそれぞれ格納する複数の格納箇所を有する。つまり、複数の格納箇所は、端末機２００の（ｍ−１）回目までの起動中にそれぞれ決定した（ｍ−１）回目までの登録データの格納箇所、今回であるｍ回目の起動中に決定するｍ回目の登録データの格納箇所、および（ｍ＋１）回目以後の起動中に決定する（ｍ＋１）回目以後の登録データの格納箇所を含む。なお、図中では、第１データは“１”、第２データは“０”で表記している。
【０１２５】
カウントデータ定期保存処理の前に登録データ決定処理を行う端末機２００の場合、端末機２００は、ｍ回目の起動中では第２領域４７に保存されている（ｍ−１）回目のカウントデータを読み出す。そして、（ｍ−１）回目のカウントデータに基づいてｍ回目の登録データを決定し、ｍ回目の登録データを第１領域４６の対応するｍ回目の登録データの格納箇所に格納する。
【０１２６】
端末機２００のｍ回目の起動の開始時点では、図２２の上段、図２３の上段に示すように、（ｍ−１）回目までの登録データが第１領域４６の対応する格納箇所にそれぞれ格納されている。ｍ回目の登録データの格納箇所および（ｍ＋１）回目以後の登録データの格納箇所には、予め第１データを格納している。ｍ回目以後の登録データの格納箇所に第１データを格納させるタイミングは少なくともステップ６３やステップ６４の前であればよい。
【０１２７】
なお、第１領域４６内のｍ回目以後の登録データの格納箇所は、後述するペアリングパターンとの対比で用いないようになった過去分の登録データの格納箇所であってもよい。この場合でも同様に過去分の登録データの格納箇所には予め第１データを格納し直しておく。不揮発性メモリ４４は、書き込み回数の制限を受けることもあるので、これを緩和するように、第１領域４６を複数設けておき、複数の第１領域４６を代わる代わるに使用するなどとすると望ましい。その選択をするための選択用データを不揮発性メモリ４４に登録などさせておき、選択用データによって、使用する第１領域４６を決定するようにしてもよい。
【０１２８】
そして、ｍ回目の起動中の端末機２００では、図２２の上段、図２３の上段に示した第１領域４６の状態で、信号処理回路５０は第２領域４７からカウントデータを読み出す。この場合、ｍ回目に応じたカウントデータ定期保存処理は行われていないので、（ｍ−１）回目のカウントデータを読み出して、（ｍ−１）回目のカウントデータと規定値との対比をステップ６２で行う。
【０１２９】
（ｍ−１）回目のカウントデータが規定値以下の場合、信号処理回路５０はステップ６３でｍ回目の登録データを第１データに決定する。つまり、図２２の下段に示すように、第１領域４６のｍ回目の登録データの格納箇所は予め格納した第１データのままで維持する。
【０１３０】
カウントデータが規定値を超える場合には、信号処理回路５０の処理はステップ６４に移行して、ｍ回目の登録データを第２データに決定し、図２３の下段に示すように第１領域４６のｍ回目の登録データの格納箇所に第２データを格納し直す。
【０１３１】
上述したカウントデータ定期保存処理の前に登録データ決定処理を行うと望ましいがカウントデータ定期保存処理の後に登録データ決定処理を行うことも可能である。この場合では、ｍ回目の起動中によるカウントデータ定期保存処理で、ｍ回目のカウントデータが不揮発性メモリ４４の第２領域４７に保存されている状態になるので、ｍ回目のカウントデータを規定値と対比して、ｍ回目の登録データを決定する。なお、この場合では例えば第２データに決定した際にサブルーチンに移り、この第２データを含んで送信処理を行うなどとする。
【０１３２】
以上では、ｍ回目以後の登録データの格納箇所に第１データを予め格納した事例で説明したが、第２データを予め格納しておき、これに対応する処理を行ってもよい。
【０１３３】
このように、端末機２００では、カウントデータに基づいて起動中での時間の長短の決定をして、その結果を得ている。これであれば時定数回路は不要であり、また時定数の設定および時定数回路に用いる抵抗、コンデンサの選択等も不要にできる。また、カウンタ８０などの処理をソフト処理のみにしたため、ソフトを変更するだけで柔軟に多様な設定の端末機２００を生産することができ、生産性の向上を図ることを可能とする。
【０１３４】
そして、端末機２００では、カウントデータを不揮発性メモリ４４の第２領域４７に定期的に保存していく。これであれば、端末機２００は、（ｍ−１）回目の起動が終わったとしても（ｍ−１）回目のカウントデータを確実に保存して、ｍ回目の起動中に判定が可能となる。
【０１３５】
そして、上述もしたように不揮発性メモリ４４は、書き込み回数の制限を受けることもあるので、特にカウントデータを定期的に保存させていく第２領域４７は、二つ以上設けて各々の第２領域４７を代わる代わるに使用すると望ましい。その選択をするための選択用データを不揮発性メモリ４４に登録させておき、選択用データによって、使用する第２領域を決定するようにしてもよい。
【０１３６】
なお、登録データ決定処理の後にカウントデータ定期保存処理を行う場合では、カウンタ８０の作動を開始する際に、制御回路４０は、動作クロックの周波数を、カウンタ８０の作動を開始する前の動作クロック周波数に比べて、低くするか、もしくはカウンタ８０の作動を開始した以降に下限電圧値を低下させて、限りある発電部１０からの電力で、より長く制御回路４０の作動状態を維持させることもできる。
【０１３７】
（９．端末機における送信処理）
以下、端末機における送信処理について、図３に加えて図２４を用いて説明する。図２４は端末機における送信処理の概要の流れを示すフローチャートである。
【０１３８】
図３のステップ５で、操作者がｎ回目の行為によって端末機２００を起動させる。端末機２００は前述したステップ１３の条件を満たすとステップ７１に移行して、ステップ７１で、信号処理回路５０は不揮発性メモリ４４内に蓄積された登録データを第１領域４６から読み出す。登録データの読み出し範囲などについては次の項で説明する。
【０１３９】
続いて、信号処理回路５０は、ステップ７２で読み出した読み出しパターンと予め決定されているペアリングパターンとの対比をする。読み出しパターンがペアリングパターンに合致しない場合、信号処理回路５０の処理はステップ７３に移行し、信号処理回路５０は出力部４３から第２信号を生成し出力して、第２信号を無線回路６０を介して無線送信する。
【０１４０】
ステップ７２で、読み出しパターンがペアリングパターンに合致した場合、信号処理回路５０の処理はステップ７４に移行し、信号処理回路５０は出力部４３からペアリングモード信号である第１信号を生成し出力して、第１信号を無線回路６０を介して無線送信する。
【０１４１】
（１０−１．端末機において送信処理を登録データ決定処理の前に行う場合での登録データの読み出し範囲）
次に、端末機２００が送信処理を登録データ決定処理の前に行う場合での第１領域４６からの読み出し範囲について図２５を用いて説明する。図２５は端末機における登録データの読み出し範囲を説明する図である。なお、判り易く説明するために、ペアリングパターンは（ｎ−２）個の個数のパターン列であるとする。登録データは、前述したとおりの第１データもしくは第２データである。
【０１４２】
図２５の上段に示したように、端末機２００の（ｎ−２）回目の起動開始時点では、第１領域４６には１回目の起動中に決定した１回目の登録データから（ｎ−３）回目の起動中に決定した（ｎ−３）回目の登録データが第１領域４６の対応する格納箇所に格納されている。なお、第１領域４６の（ｎ−２）回目以後の登録データを格納する各々の格納箇所には、前述したとおりに第１データが仮に格納されている。
【０１４３】
この状態で、端末機２００は（ｎ−２）回目での送信処理を行う。まず、信号処理回路５０は、直近の登録データから時間順に過去の登録データに向けてさかのぼって第１領域４６の登録データを読み出す。読み出す登録データの最大個数は、ペアリングパターンの配列数と同数である。つまり、（ｎ−２）回目の送信処理では、（ｎ−３）回目の登録データ、（ｎ−４）回目の登録データ、・・・、２回目の登録データ、１回目の登録データまでの格納箇所を読み出し範囲４５Ａとしてそれぞれの登録データを順に読み出す。なお、（ｎ−２）回目の起動中では、読み出される登録データの個数はペアリングパターンの配列数より一つ少ない（ｎ−３）個となる。そして、読み出した登録データからなる読み出しパターンをペアリングパターンと対比する。（ｎ−２）回目での読み出した個数はペアリングパターンの個数よりも少ないので、読み出しパターンとペアリングパターンとは相違すると判定され、信号処理回路５０は第２信号（通常モード信号）に決定して、生成した第２信号を無線送信する。その後、（ｎ−２）回目の端末機２００の起動中で第１領域４６の（ｎ−２）回目の格納箇所に（ｎ−２）回目の登録データが格納される。なお、（ｎ−２）回目の登録データは、第１データのままで維持されたとして図示している。
【０１４４】
続いて、図３のステップ４で、端末機２００が（ｎ−１）回目で起動されると、図２５の中段に示すように、（ｎ−２）回目の場合と同様に登録データを第１領域４６から読み出す。読み出す登録データはペアリングパターンの配列数と同数であるため、（ｎ−１）回目の送信処理では、（ｎ−２）回目の登録データ、（ｎ−３）回目の登録データ、・・・、２回目の登録データ、１回目の登録データまでの格納箇所を読み出し範囲４５Ｂとしてそれぞれの登録データを順に読み出す。その後、読み出しパターンとペアリングパターンとを対比して相応する出力信号が無線送信される。ここでは、読み出しパターンとペアリングパターンとが相違すると判定されて第２信号を送信したとする。その後、（ｎ−１）回目の端末機２００の起動中で第１領域４６の（ｎ−１）回目の格納箇所に（ｎ−１）回目の登録データが格納される。なお、（ｎ−１）回目の登録データは、第２データで格納し直されたとして図示している。
【０１４５】
続いて、図３のステップ５で、端末機２００がｎ回目で起動されると、図２５の下段に示すように、ペアリングパターンの配列数と同数の（ｎ−１）回目の登録データ、（ｎ−２）回目の登録データ、・・・、３回目の登録データ、２回目の登録データまでの格納箇所を読み出し範囲４５Ｃとしてそれぞれの登録データを順に読み出す。そして、読み出した登録データからなる読み出しパターンをペアリングパターンと対比し、両者が合致したと判定されたとする。この場合、ｎ回目の端末機２００の起動中に信号処理回路５０は、第１信号（ペアリングモード信号）に決定する。そして、生成した第１信号をアンテナ６１を介して無線送信する。そして、このペアリングモード信号を親無線機５００が受信して判定し、条件を満たしていればペアリングが完了する。なお、図２５内では、ｎ回目の起動中の登録データを第１領域４６のｎ回目の格納箇所に格納させる図示をしているが、ペアリングの完了に応じてｎ回目での登録データの格納は実施しなくてもよい。また、ｎ回目の読み出しでは１回目の登録データは用いない。この１回目の登録データの格納箇所が前述した過去分の登録データの格納箇所にあたる。
【０１４６】
なお、送信処理を登録データ決定処理の前に行う場合、カウントデータ定期保存処理は、登録データ決定処理の後に行うと望ましい。つまり無線送信を含む送信処理はカウンタ８０の作動の前で行うと望ましい。
【０１４７】
なお、ペアリングモードの判定をするための読み出し範囲は、上述した設定のみに限定されない。つまり、格納箇所の内で予め参照対象を定めておき、参照対象とした所定の格納箇所の登録データに基づいてペアリングモードの判定をしてもよい。例えば、一つおきの格納箇所を参照対象としておくと、窓やドアの開状態から閉状態とする行為のみ、またはその逆での行為のみで得られる登録データを元にペアリングモードの判定をすることも可能であり、この場合、参照対象とする格納箇所は２以上が望ましい。
【０１４８】
（１０−２．端末機において送信処理を登録データ決定処理の後に行う場合での登録データの読み出し範囲）
次に、端末機２００が送信処理を登録データ決定処理の後で行う場合での第１領域４６からの読み出し範囲について図２６を用いて説明する。図２６は端末機における登録データの読み出し範囲を説明する図である。なお、判り易く説明するために、ペアリングパターンは（ｎ−１）個の個数のパターン列であるとする。登録データは、前述したとおりの第１データもしくは第２データである。
【０１４９】
端末機２００は、（ｎ−２）回目の登録データ決定処理をした後で（ｎ−２）回目の送信処理を行う。つまり、図２６の上段に示したように、（ｎ−２）回目の送信処理の前では、１回目の起動中に決定した１回目の登録データから（ｎ−２）回目の起動中に決定した（ｎ−２）回目の登録データのそれぞれが第１領域４６の対応する格納箇所に格納されている。なお、第１領域４６の（ｎ−１）回目以後の格納箇所には、前述したとおりに第１データが仮に格納されている。
【０１５０】
この状態で、端末機２００は（ｎ−２）回目の送信処理を行う。まず、信号処理回路５０は、直近の登録データから時間順に過去の登録データに向けてさかのぼって第１領域４６の登録データを読み出す。なお、読み出す登録データの最大個数は、ペアリングパターンの配列数と同数である。つまり、（ｎ−２）回目の端末機２００の送信処理では、（ｎ−２）回目の登録データ、（ｎ−３）回目の登録データ、・・・、２回目の登録データ、１回目の登録データまでの格納箇所を読み出し範囲４５Ｄとしてそれぞれの登録データを順に読み出す。なお、（ｎ−２）回目では、読み出される登録データの個数はペアリングパターンの配列数より一つ少ない（ｎ−２）個であるため、読み出した登録データからなる読み出しパターンはペアリングパターンとの対比で相違すると判定され、信号処理回路５０は第２信号を無線送信する。
【０１５１】
続いて、図３のステップ４で、端末機２００が（ｎ−１）回目で起動されると、（ｎ−１）回目の送信処理の前に（ｎ−１）回目の登録データ決定処理が行われ、図２６の中段に示すように、第１領域４６の対応する格納箇所に（ｎ−１）回目の登録データが格納される。なお、（ｎ−１）回目の登録データは第２データに格納し直されたとして図示している。
【０１５２】
その後、端末機２００は（ｎ−１）回目での送信処理を行う。信号処理回路５０は、直近の登録データから時間順に過去の登録データに向けてさかのぼって第１領域４６の登録データを読み出す。読み出す登録データの最大個数は、ペアリングパターンの配列数と同数であり、（ｎ−１）回目の送信処理のときには、（ｎ−１）回目の登録データ、（ｎ−２）回目の登録データ、・・・、２回目の登録データ、１回目の登録データまでの格納箇所を読み出し範囲４５Ｅとしてそれぞれの登録データを順に読み出す。その後、読み出しパターンとペアリングパターンとを対比して相応する出力信号が無線送信される。ここでは、読み出しパターンとペアリングパターンとが相違すると判定されて第２信号を送信したとする。
【０１５３】
続いて、図３のステップ５で、端末機２００がｎ回目で起動されると、ｎ回目の送信処理の前にｎ回目の登録データ決定処理が行われ、図２６の下段に示すように、ｎ回目の登録データが第１領域４６の対応する格納箇所に格納される。なお、ｎ回目の登録データは第２データに格納し直されたとして図示している。
【０１５４】
その後、端末機２００はｎ回目での送信処理を行う。信号処理回路５０は、直近の登録データから時間順に過去の登録データに向けてさかのぼって第１領域４６の登録データを読み出す。読み出す登録データの最大個数は、ペアリングパターンの配列数と同数であり、ｎ回目の送信処理のときには、ｎ回目の登録データ、（ｎ−１）回目の登録データ、・・・、３回目の登録データ、２回目の登録データまでの格納箇所を読み出し範囲４５Ｆとしてそれぞれの登録データを順に読み出す。その後、読み出しパターンとペアリングパターンとを対比する。ここでは、読み出しパターンとペアリングパターンとが合致したとの判定結果であったとする。この場合、ｎ回目の起動中に、信号処理回路５０は第１信号（ペアリングモード信号）を無線送信する。そして、このペアリングモード信号を親無線機５００が受信して判定し、条件を満たしていればペアリングが完了する。なお、ｎ回目の送信処理では１回目の登録データは用いない。この１回目の登録データの格納箇所が前述した過去分の登録データの格納箇所にあたる。
【０１５５】
なお、送信処理を登録データ決定処理の後に行う場合でも、カウントデータ定期保存処理は、登録データ決定処理の後に行うと望ましい。
【０１５６】
なお、前項と同様にペアリングモードの判定をするための読み出し範囲は、上述した設定のみに限定されない。つまり、格納箇所の内で予め参照対象を定めておき、参照対象とした所定の格納箇所の登録データに基づいてペアリングモードの判定をしてもよい。例えば、一つおきの格納箇所を参照対象としておくと、窓やドアの開状態から閉状態とする行為のみ、またはその逆での行為のみで得られる登録データを元にペアリングモードの判定をすることも可能であり、この場合、参照対象とする格納箇所は２以上が望ましい。
【０１５７】
なお、実施の形態は、以下の項目によって特定されてもよい。
【０１５８】
[項目１]
起動部と、
起動部の動作に応じて電荷を発生する発電部と、
電荷を蓄電する蓄電部と、
蓄電部から得られる第１の電圧を第２の電圧に変換する電圧変換部と、
第１入力部と、第２入力部と、出力部と、不揮発性メモリと、信号処理回路とを有し、第１入力部に印加される第２の電圧を電源電圧として第１の時間から作動し、第２の電圧が下限電圧値よりも低下する第２の時間で作動を停止する制御回路と、
出力部からの出力信号を無線送信する無線回路と、
を備えた端末機において、
端末機は、さらに、第１の電圧に応じた出力値を第２入力部に出力する電圧検知部を有し、
制御回路は、さらに、クロックを発生する発振器と、制御回路の作動中にクロックの計時を行うタイマと、を有し、
ｍ回目の起動開始時に、不揮発性メモリには、起動部の（ｍ−１）回目までの起動中に得られた（ｍ−１）回目までの登録データが格納され、
制御回路は、ｍ回目の起動中で出力値が予め設定された第１閾値を第１の時間後の第３の時間で超えると、第２の時間までに、タイマでの計測時間に基づいてｍ回目の起動中に決定されるｍ回目の登録データを不揮発性メモリに格納し、（ｍ−１）回目までの登録データあるいは、（ｍ−１）回目までの登録データとｍ回目の登録データに応じて、出力部から第１信号または第２信号のいずれかを出力信号として出力する端末機。
【０１５９】
[項目２]
信号処理回路は、第３の時間以後にタイマでの計時を開始させ、第３の時間から第２の時間の間に設定されている基準時間を計測時間が超えると、ｍ回目の登録データを不揮発性メモリに格納する項目１に記載の端末機。
【０１６０】
[項目３]
不揮発性メモリのｍ回目の登録データを格納する格納箇所には基準時間を計測時間が超えないことを示す第１データが予め格納されており、信号処理回路は、基準時間を計測時間が超えたとき、ｍ回目の登録データを格納する格納箇所に、ｍ回目の登録データとして基準時間を計測時間が超えたことを示す第２データを格納し直す項目１に記載の端末機。
【０１６１】
[項目４]
不揮発性メモリは、さらに格納領域にｍ回目での計測時間を定期的に保存する保存箇所を有し、
信号処理回路は、ｍ回目での起動中に、
ｍ回目での計測時間が、定期的に保存箇所に保存されていき、
かつ、ｍ回目の登録データは、（ｍ−１）回目で保存箇所に保存されている（ｍ−１）回目の計測時間に対応する値と予め設定された基準時間に応じた規定値との比較によって決定されて、ｍ回目の登録データを格納する格納箇所に格納する項目１に記載の端末機。
【０１６２】
[項目５]
制御回路は、第３の時間から第２の時間の間において、第１閾値を超えている出力値が第１閾値よりも下がり、再び第１閾値を第４の時間で超えたとき、第４の時間を（ｍ＋１）回目の起動時の第３の時間として置き換える項目１に記載の端末機。
【０１６３】
[項目６]
制御回路は、出力信号の出力後でのタイマの作動時に、動作クロックの周波数をタイマの作動を開始する前の動作クロックの周波数に比べて低い動作クロックにする、もしくタイマの作動を開始した以降に下限電圧値を低下させる項目１に記載の端末機。
【０１６４】
[項目７]
不揮発性メモリは、（ｍ−１）回目までの登録データ、あるいは（ｍ−１）回目までの登録データとｍ回目の登録データを格納する格納領域を含み、格納領域は、複数の格納領域のうちのひとつであり、信号処理回路は複数の格納領域のそれぞれを代わる代わるに使用する項目１に記載の端末機。
【０１６５】
[項目８]
不揮発性メモリにはさらに選択用データが登録されており、信号処理回路は、選択用データによって、複数の格納領域のいずれを使用するかを決定する項目７に記載の端末機。
【０１６６】
[項目９]
発電部は、起動部の動作に伴って発電する電磁誘導式もしくは圧電発電式の発電機構を有する項目１に記載の端末機。
【０１６７】
[項目１０]（二値）
不揮発性メモリは、第１の格納部から第ｎの格納部からなるｎ個の格納部（ｎ≧３：正の整数）を備え、
信号処理回路は、起動開始後にタイマの計時の開始と、
ｎ個の格納部のｐ番目の格納部（ｎ≧ｐ≧２：正の整数）の登録データをｐ−１番目の格納部に格納し、第１の登録データを第ｎの格納部に格納し、
タイマの計時値が予め決められた値を超えると、第２の登録データを第ｎの格納部に登録する処理と、
また、信号処理回路は、第１の格納部から第ｎ−１の格納部までのｎ−１個の格納部の中で、予め参照対象を定められた２以上の格納部に格納された登録データに応じて出力部から第１信号または第２信号のいずれかを出力信号として出力する処理と、を行う項目１に記載の端末機。
【０１６８】
[項目１１]（時間値）
不揮発性メモリは、第１の格納部から第ｎの格納部からなるｎ個の格納部（ｎ≧３）を備え、
信号処理回路は、起動開始後にタイマの計時を開始し、
ｎ個の格納部のｐ番目の格納部（ｎ≧ｐ≧２：正の整数）の登録データをｐ−１番目の格納部に格納し、
１以上の回数で、タイマの計時値に応じて、第ｎの格納部の登録データを更新する処理と、
また、信号処理回路は、第１の格納部から第ｎ−１の格納部までのｎ−１個の格納部の中で、予め参照対象を定められた２以上の格納部に格納された登録データに応じて出力部から第１信号または第２信号のいずれかを出力信号として出力する処理と、を行う項目１に記載の端末機。
これにより、起動の時間間隔がより正確に計測することができる。
【０１６９】
[項目１２]（カウンタ）
タイマはクロックのカウントを行うカウンタであり、計測時間は、カウンタのカウント値である項目１から１１のいずれか１項に記載の端末機。
【０１７０】
これにより、カウンタによりカウントすることができる。
【０１７１】
[項目１３]
第１入力部と第２入力部と出力部と不揮発性メモリと信号処理回路とタイマとを有した制御回路を有し、
ｍ回目の動作で第２の電圧が電源電圧として第１入力部へ第１の時間から印加されるステップと、
電源電圧の印加により、制御回路の作動開始をするステップと、
第２の電圧が下限電圧値よりも低下することで、制御回路が第２の時間で作動を停止するステップと、を有した端末機の制御方法において、
さらに、電圧検知部の出力値を第２入力部から入力するステップと、
出力値が予め設定された第１閾値を超えた第３の時間以後に、
タイマで計時された計測時間に応じてｍ回目の登録データを決定するステップと、
不揮発性メモリに格納された（ｍ−１）回目までの登録データあるいは、（ｍ−１）回目までの登録データとｍ回目の登録データに応じて、第１信号または第２信号のいずれかの出力信号を出力部から出力するステップと、
を有する端末機の制御方法。
【０１７２】
[項目１４]
さらに、発電部で電力を生成するステップと、
電力を蓄電部に蓄電するステップと、
蓄電部から得られる第１の電圧を電圧変換部で第２の電圧に変換するステップと、
第１の電圧に応じて出力値を生成するステップと、
出力部から出力される出力信号を無線送信するステップと、
を有する項目１３に記載の端末機の制御方法。
【０１７３】
[項目１５]
ｍ回目の登録データを決定する際に、ｍ回目の登録データを不揮発性メモリに格納し、ｍ回目の登録データを決定するより前に、または決定したｍ回目の登録データを不揮発性メモリに格納する前に、出力信号を出力する項目１３に記載の端末機の制御方法。
【０１７４】
[項目１６]
（ｍ−１）回目までの登録データが不揮発性メモリに格納されており、第１信号または第２信号のいずれかを生成する際に、不揮発性メモリから（ｍ−１）回目までの登録データを読み出す項目１３に記載の端末機の制御方法。
【０１７５】
[項目１７]
ｍ回目の登録データを決定する際に、ｍ回目の登録データを不揮発性メモリに格納し、第１信号または第２信号のいずれかを生成する前に不揮発性メモリから（ｍ−１）回目までの登録データおよびｍ回目の登録データを読み出す項目１３に記載の端末機の制御方法。
【０１７６】
[項目１８]
ｍ回目の起動中に、出力値を入力した際、第３の時間から第２の時間の間で、第１閾値を超えている出力値が第１閾値よりも下がり、再び第１閾値を第４の時間で超えたとき、第４の時間を（ｍ＋１）回目の起動時での第３の時間として置き換える、項目１３に記載の端末機の制御方法。
【０１７７】
[項目１９]
不揮発性メモリにおいてｍ回目の登録データを格納する格納箇所には基準時間を計測時間が超えないことを示す第１データが予め格納されており、基準時間を計測時間が超えたとき、格納箇所に基準時間を計測時間が超えたことを示す第２データをｍ回目の登録データとして格納し直すステップをさらに有する項目１３に記載の端末機の制御方法。
【０１７８】
[項目２０]
ｍ回目での起動中に、不揮発性メモリの格納領域に設定した保存箇所にｍ回目で計測されていく時間に応じた値を定期的に保存していくステップをさらに有し、
ｍ回目での値を保存箇所に定期的に保存する前に、
保存箇所に保存している（ｍ−１）回目の値と予め設定した基準時間に応じた規定値との比較によってｍ回目の登録データを決定する項目１３に記載の端末機の制御方法。
【０１７９】
[項目２１]
ｍ回目の登録データを決定した後に、（ｍ−１）回目までの登録データおよびｍ回目の登録データに応じて出力信号を生成する、項目２０に記載の端末機の制御方法。
【０１８０】
[項目２２]（二値）
不揮発性メモリは、第１の格納部から第ｎの格納部からなるｎ個の格納部（ｎ≧ｍ：正の整数）を備え、
起動開始後にタイマの計時を開始するステップと、
ｎ個の格納部のｐ番目の格納部（ｎ≧ｐ≧２：正の整数）の登録データをｐ−１番目の格納部に格納し、第１データを第ｎの格納部に格納し、
タイマで計測する計時値が予め決められた値を超えると、第２データを第ｎの格納部に登録するステップと、
また、第１の格納部から第ｎ−１の格納部までのｎ−１個の格納部の中で、予め参照対象を定められた２以上の格納部に格納された登録データに応じて出力部から第１信号または第２信号のいずれかを出力信号として出力するステップと、を備える項目１３に記載の端末機の制御方法。
【０１８１】
[項目２３]（カウンタ値）
不揮発性メモリは、第１の格納部から第ｎの格納部からなるｎ個の格納部（ｎ≧３）を備え、
起動開始後にタイマの計時を開始するステップと、
ｎ個の格納部のｐ番目の格納部（ｎ≧ｐ≧２：正の整数）の登録データをｐ−１番目の格納部に格納するステップと、
１以上の回数で、タイマで計測する計時値に応じて、第ｎの格納部の登録データを更新するステップと、
また、第１の格納部から第ｎ−１の格納部までのｎ−１個の格納部の中で、予め参照対象を定められた２以上の格納部に格納された登録データに応じて出力部から第１信号または第２信号のいずれかを出力信号として出力するステップと、を備える項目１３に記載の端末機の制御方法。
これにより、起動の時間間隔がより正確に計測することができる。
【０１８２】
[項目２４]（カウンタ）
タイマはクロックのカウントを行うカウンタであり、計測時間は、カウンタのカウント値である項目１３から２３のいずれか１項に記載の端末機の制御方法。
【０１８３】
[項目２５]
項目１から１２のいずれか１つに記載の端末機と、端末機で無線送信された信号を受信する親無線機と、を備え、
端末機からの第１信号はペアリングモード信号であり、ペアリングモード信号を通じて端末機と親無線機とはペアリングされる、無線通信システム。
これにより、端末機および端末機の制御方法、並びにこの端末機を用いた無線通信システムにおいては、端末機が、タイマでの計測時間に基づいてｍ回目の登録データを決定する。さらに、（ｍ−１）回目までの登録データあるいは、（ｍ−１）回目までとｍ回目の登録データに応じて、出力部から第１信号または第２信号のいずれかを出力信号として出力する。これであれば、端末機は、時定数回路を用いることなく、第１信号または第２信号を選択して無線送信可能である。つまり、端末機で必要であった時定数の設定および時定数回路に用いる抵抗、コンデンサの選択などを不要とする。また、タイマでの計時処理などは所謂ソフト処理で行えるため、端末機でのソフト変更をするのみで柔軟に多様な設定が対応可能で生産性の向上も図ることができる。
【産業上の利用可能性】
【０１８４】
本発明にかかる端末機および端末機の制御方法、並びにこの端末機を用いた無線通信システムでは、端末機は、時定数回路を用いることなく、第１信号または第２信号のいずれかを無線送信可能に構成できる。そして、端末機はソフト対応で柔軟に多様な設定が可能となるため生産性の向上も図れるという効果を有し、無線通信を行って使用する各種電子機器等に用いると有用である。
【符号の説明】
【０１８５】
１０  発電部
１０Ａ  起動部
２０  蓄電部
３０  電圧変換部
４０  制御回路
４１  第１入力部
４２  第２入力部
４３  出力部
４４  不揮発性メモリ
４５  格納領域
４５Ａ，４５Ｂ，４５Ｃ，４５Ｄ，４５Ｅ，４５Ｆ  読み出し範囲
５０  信号処理回路
６０  無線回路
６１  アンテナ
７０  電圧検知部
７２  発振器
８０  タイマ（カウンタ）
１００  ＲＡＭ
２００  端末機
５００  親無線機
５１０  受信回路
５１１  アンテナ
５２０  制御回路
５２１  不揮発性メモリ
５２２  信号処理回路
４６  第１領域
４７  第２領域
【図１】
2017141759.tif 000003
【図２】
2017141759.tif 000004
【図３】
2017141759.tif 000005
【図４】
2017141759.tif 000006
【図５】
2017141759.tif 000007
【図６】
2017141759.tif 000008
【図７】
2017141759.tif 000009
【図８】
2017141759.tif 000010
【図９】
2017141759.tif 000011
【図１０】
2017141759.tif 000012
【図１１】
2017141759.tif 000013
【図１２】
2017141759.tif 000014
【図１３】
2017141759.tif 000015
【図１４】
2017141759.tif 000016
【図１５Ａ】
2017141759.tif 000017
【図１５Ｂ】
2017141759.tif 000018
【図１６】
2017141759.tif 000019
【図１７】
2017141759.tif 000020
【図１８】
2017141759.tif 000021
【図１９】
2017141759.tif 000022
【図２０】
2017141759.tif 000023
【図２１】
2017141759.tif 000024
【図２２】
2017141759.tif 000025
【図２３】
2017141759.tif 000026
【図２４】
2017141759.tif 000027
【図２５】
2017141759.tif 000028
【図２６】
2017141759.tif 000029
【手続補正書】
【提出日】平成30年8月29日(2018.8.29)
【手続補正１】
【補正対象書類名】明細書
【補正対象項目名】００４８
【補正方法】変更
【補正の内容】
【００４８】
図６に示したステップ２３で、信号処理回路５０は、ｍ回目の起動でのタイマ８０による計測時間と基準時間とを対比する。タイマ８０による計測時間が基準時間以下の場合では、信号処理回路５０の処理は、図６に示すようにステップ２４に移行してｍ回目の登録データを第１データに決定する。つまり、図７の下段にも示すように、ステップ２４では格納領域４５のｍ回目の登録データの格納箇所は予め格納された第１データのままで、第１データの格納状態が維持される。
【手続補正２】
【補正対象書類名】明細書
【補正対象項目名】００５０
【補正方法】変更
【補正の内容】
【００５０】
図６に示したステップ２３で、タイマ８０による計測時間が基準時間を超えた場合には、信号処理回路５０の処理は、図６に示すようにステップ２５に移行してｍ回目の登録データを第２データに決定する。そして、信号処理回路５０はステップ２５ではｍ回目の登録データの格納箇所に第２データに格納し直す。つまり図８の下段にも示すように、信号処理回路５０は格納領域４５のｍ回目の登録データの格納箇所に第２データを格納し直す。
【手続補正３】
【補正対象書類名】明細書
【補正対象項目名】００６１
【補正方法】変更
【補正の内容】
【００６１】
図１０の上段に示したように、端末機２００の（ｎ−２）回目の起動開始時点では、１回目の起動中に決定した１回目の登録データから（ｎ−３）回目の起動中に決定した（ｎ−３）回目の登録データが格納領域４５の対応する格納箇所に格納されている。なお、格納領域４５の（ｎ−２）回目以後の登録データを格納する各々の格納箇所には、前述したとおりに第１データが仮に格納されている。
【手続補正４】
【補正対象書類名】明細書
【補正対象項目名】００６２
【補正方法】変更
【補正の内容】
【００６２】
この状態で、端末機２００は（ｎ−２）回目の送信処理を行う。まず、信号処理回路５０は、直近の登録データから時間順に過去の登録データに向けてさかのぼって格納領域４５の登録データを読み出す。読み出す登録データの最大個数は、ペアリングパターンの配列数と同数である。つまり、（ｎ−２）回目の送信処理では、（ｎ−３）回目の登録データ、（ｎ−４）回目の登録データ、・・・、２回目の登録データ、１回目の登録データまでの格納箇所を読み出し範囲４５Ａとしてそれぞれの登録データを順に読み出す。なお、（ｎ−２）回目の起動中では、読み出される登録データの個数はペアリングパターンの配列数より一つ少ない（ｎ−３）個となる。そして、読み出した登録データからなる読み出しパターンをペアリングパターンと対比する。（ｎ−２）回目の起動で読み出した個数はペアリングパターンの個数よりも少ないので、読み出しパターンとペアリングパターンとは相違すると判定され、信号処理回路５０は第２信号（通常モード信号）に決定して、生成した第２信号を無線送信する。その後、（ｎ−２）回目の端末機２００の起動中で格納領域４５の（ｎ−２）回目の格納箇所に（ｎ−２）回目の登録データが格納される。なお、（ｎ−２）回目の登録データは、第１データのままで維持されたとして図示している。
【手続補正５】
【補正対象書類名】明細書
【補正対象項目名】００６３
【補正方法】変更
【補正の内容】
【００６３】
続いて、図３のステップ４で、端末機２００が（ｎ−１）回目で起動されると、図１０の中段に示すように、（ｎ−２）回目の起動の場合と同様に登録データを格納領域４５から読み出す。読み出す登録データはペアリングパターンの配列数と同数であるため、（ｎ−１）回目の送信処理では、（ｎ−２）回目の登録データ、（ｎ−３）回目の登録データ、・・・、２回目の登録データ、１回目の登録データまでの格納箇所を読み出し範囲４５Ｂとしてそれぞれの登録データを順に読み出す。その後、読み出しパターンとペアリングパターンとを対比して相応する出力信号が無線送信される。ここでは、読み出しパターンとペアリングパターンとが相違すると判定されて第２信号を送信したとする。その後、（ｎ−１）回目の端末機２００の起動中で格納領域４５の（ｎ−１）回目の格納箇所に（ｎ−１）回目の登録データが格納される。なお、（ｎ−１）回目の登録データは、第２データで格納し直されたとして図示している。
【手続補正６】
【補正対象書類名】明細書
【補正対象項目名】００７０
【補正方法】変更
【補正の内容】
【００７０】
その後、端末機２００は（ｎ−１）回目の送信処理を行う。信号処理回路５０は、直近の登録データから時間順に過去の登録データに向けてさかのぼって格納領域４５の登録データを読み出す。読み出す登録データの最大個数は、ペアリングパターンの配列数と同数であり、（ｎ−１）回目の送信処理のときには、（ｎ−１）回目の登録データ、（ｎ−２）回目の登録データ、・・・、２回目の登録データ、１回目の登録データまでの格納箇所を読み出し範囲４５Ｅとしてそれぞれの登録データを順に読み出す。その後、読み出しパターンとペアリングパターンとを対比して相応する出力信号が無線送信される。ここでは、読み出しパターンとペアリングパターンとが相違すると判定されて第２信号を送信したとする。
【手続補正７】
【補正対象書類名】明細書
【補正対象項目名】０１１２
【補正方法】変更
【補正の内容】
【０１１２】
電圧検知部７０からの出力値が第１閾値を超えている場合、信号処理回路５０の処理はステップ４０に移る。ステップ４０で信号処理回路５０は前述した三つの処理（送信処理、カウントデータ定期保存処理、登録データ決定処理）を行う。これらの三つの処理は不揮発性メモリ４４への所定処理を含んでいる。ここに不揮発性メモリ４４内の領域は特段区分けされるものではないが、判り易く説明するために、以下では三つの処理で用いる不揮発性メモリ４４内の領域を第１領域４６と第２領域４７と記載して説明する。図１９は端末機の不揮発性メモリの第１領域と第２領域を模式的に示す図であり、図１９に示したように、不揮発性メモリ４４は、登録データ用の領域としての第１領域４６と、カウントデータ用の領域としての第２領域４７を有する。なお、第２領域４７は、ｍ回目の起動での計測時間を定期的に保存する保存箇所に相当する。
【手続補正８】
【補正対象書類名】明細書
【補正対象項目名】０１２８
【補正方法】変更
【補正の内容】
【０１２８】
そして、ｍ回目の起動中の端末機２００では、図２２の上段、図２３の上段に示した第１領域４６の状態で、信号処理回路５０は第２領域４７からカウントデータを読み出す。この場合、ｍ回目の起動に応じたカウントデータ定期保存処理は行われていないので、（ｍ−１）回目のカウントデータを読み出して、（ｍ−１）回目のカウントデータと規定値との対比をステップ６２で行う。
【手続補正９】
【補正対象書類名】明細書
【補正対象項目名】０１４２
【補正方法】変更
【補正の内容】
【０１４２】
図２５の上段に示したように、端末機２００の（ｎ−２）回目の起動開始時点では、１回目の起動中に決定した１回目の登録データから（ｎ−３）回目の起動中に決定した（ｎ−３）回目の登録データが第１領域４６の対応する格納箇所に格納されている。なお、第１領域４６の（ｎ−２）回目以後の登録データを格納する各々の格納箇所には、前述したとおりに第１データが仮に格納されている。
【手続補正１０】
【補正対象書類名】明細書
【補正対象項目名】０１６１
【補正方法】変更
【補正の内容】
【０１６１】
［項目４］
不揮発性メモリは、さらに格納領域にｍ回目での計測時間を定期的に保存する保存箇所を有し、
信号処理回路は、ｍ回目での起動中に、
ｍ回目での計測時間が、定期的に保存箇所に保存されていき、
かつ、ｍ回目の登録データは、（ｍ−１）回目で保存箇所に保存されている（ｍ−１）回目の起動での計測時間に対応する値と予め設定された基準時間に応じた規定値との比較によって決定されて、ｍ回目の登録データを格納する格納箇所に格納する項目１に記載の端末機。
【手続補正１１】
【補正対象書類名】明細書
【補正対象項目名】０１７８
【補正方法】変更
【補正の内容】
【０１７８】
［項目２０］
ｍ回目での起動中に、不揮発性メモリの格納領域に設定した保存箇所にｍ回目の起動で計測されていく時間に応じた値を定期的に保存していくステップをさらに有し、
ｍ回目の起動での値を保存箇所に定期的に保存する前に、
保存箇所に保存している（ｍ−１）回目の値と予め設定した基準時間に応じた規定値との比較によってｍ回目の登録データを決定する項目１３に記載の端末機の制御方法。
【手続補正１２】
【補正対象書類名】特許請求の範囲
【補正対象項目名】全文
【補正方法】変更
【補正の内容】
【特許請求の範囲】
【請求項１】
起動部と、
前記起動部の動作に応じて電荷を発生する発電部と、
前記電荷を蓄電する蓄電部と、
前記蓄電部から得られる第１の電圧を第２の電圧に変換する電圧変換部と、
第１入力部と、第２入力部と、出力部と、不揮発性メモリと、信号処理回路とを有し、前記第１入力部に印加される前記第２の電圧を電源電圧として第１の時間から作動し、前記第２の電圧が下限電圧値よりも低下する第２の時間で作動を停止する制御回路と、
前記出力部からの出力信号を無線送信する無線回路と、
を備えた端末機において、
前記端末機は、さらに、前記第１の電圧に応じた出力値を前記第２入力部に出力する電圧検知部を有し、
前記制御回路は、さらに、クロックを発生する発振器と、前記制御回路の作動中に前記クロックの計時を行うタイマと、を有し、
ｍ回目の起動開始時に、前記不揮発性メモリには、前記起動部の（ｍ−１）回目までの起動中に得られた（ｍ−１）回目までの登録データが格納され、
前記制御回路は、ｍ回目の起動中で前記出力値が予め設定された第１閾値を前記第１の時間後の第３の時間で超えると、前記第２の時間までに、前記タイマでの計測時間に基づいて前記ｍ回目の起動中に決定されるｍ回目の登録データを前記不揮発性メモリに格納し、前記（ｍ−１）回目までの登録データあるいは、前記（ｍ−１）回目までの登録データと前記ｍ回目の登録データに応じて、前記出力部から第１信号または第２信号のいずれかを前記出力信号として出力する端末機。
【請求項２】
前記信号処理回路は、前記第３の時間以後に前記タイマでの計時を開始させ、前記第３の時間から前記第２の時間の間に設定されている基準時間を前記計測時間が超えると、前記ｍ回目の登録データを前記不揮発性メモリに格納する請求項１に記載の端末機。
【請求項３】
前記不揮発性メモリの前記ｍ回目の登録データを格納する格納箇所には基準時間を前記計測時間が超えないことを示す第１データが予め格納されており、前記信号処理回路は、前記基準時間を前記計測時間が超えたとき、前記ｍ回目の登録データを格納する格納箇所に、前記ｍ回目の登録データとして前記基準時間を前記計測時間が超えたことを示す第２データを格納し直す請求項１に記載の端末機。
【請求項４】
前記不揮発性メモリは、さらに格納領域に前記ｍ回目での計測時間を定期的に保存する保存箇所を有し、
前記信号処理回路は、前記ｍ回目での起動中に、
前記ｍ回目での計測時間を、定期的に前記保存箇所に保存し、
かつ、前記ｍ回目の登録データは、前記（ｍ−１）回目の起動で前記保存箇所に保存されている（ｍ−１）回目の計測時間に対応する値と予め設定された基準時間に応じた規定値との比較によって決定されて、前記ｍ回目の登録データを格納する格納箇所に格納する請求項１に記載の端末機。
【請求項５】
前記制御回路は、前記第３の時間から前記第２の時間の間において、前記第１閾値を超えている前記出力値が前記第１閾値よりも下がり、再び前記第１閾値を第４の時間で超えたとき、前記第４の時間を（ｍ＋１）回目の起動時の前記第３の時間として置き換える請求項１に記載の端末機。
【請求項６】
前記制御回路は、前記出力信号の出力後での前記タイマの作動時に、動作クロックの周波数を前記タイマの作動を開始する前の動作クロックの周波数に比べて低い動作クロックにする、もしく前記タイマの作動を開始した以降に前記下限電圧値を低下させる請求項１に記載の端末機。
【請求項７】
前記不揮発性メモリは、前記（ｍ−１）回目までの登録データ、あるいは前記（ｍ−１）回目までの登録データと前記ｍ回目の登録データを格納する格納領域を含み、前記格納領域は、複数の格納領域のうちのひとつであり、前記信号処理回路は前記複数の格納領域のそれぞれを代わる代わるに使用する請求項１に記載の端末機。
【請求項８】
前記不揮発性メモリにはさらに選択用データが登録されており、前記信号処理回路は、前記選択用データによって、前記複数の格納領域のいずれを使用するかを決定する請求項７に記載の端末機。
【請求項９】
前記発電部は、前記起動部の動作に伴って発電する電磁誘導式もしくは圧電発電式の発電機構を有する請求項１に記載の端末機。
【請求項１０】
前記不揮発性メモリは、第１の格納部から第ｎの格納部からなるｎ個の格納部（ｎ≧３：正の整数）を備え、
前記信号処理回路は、
起動開始後に前記タイマの計時を開始し、
前記ｎ個の格納部のｐ番目の格納部（ｎ≧ｐ≧２：正の整数）の登録データをｐ−１番目の格納部に格納し、
第１の登録データを前記第ｎの格納部に格納し、
前記タイマの計時値が予め決められた値を超えると、第２の登録データを前記第ｎの格納部に登録し、
前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力する、
ことを行う請求項１に記載の端末機。
【請求項１１】
前記不揮発性メモリは、第１の格納部から第ｎの格納部からなるｎ個の格納部（ｎ≧３）を備え、
前記信号処理回路は、
起動開始後に前記タイマの計時を開始し、
前記ｎ個の格納部のｐ番目の格納部（ｎ≧ｐ≧２：正の整数）の登録データをｐ−１番目の格納部に格納し、
１以上の回数で、前記タイマの計時値に応じて、前記第ｎの格納部の登録データを更新し
前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力する、
ことを行う、請求項１に記載の端末機。
【請求項１２】
前記タイマは前記クロックのカウントを行うカウンタであり、前記計測時間は、前記カウンタのカウント値である請求項１から１１のいずれか１項に記載の端末機。
【請求項１３】
第１入力部と第２入力部と出力部と不揮発性メモリと信号処理回路とタイマとを有した制御回路を有する端末機を準備するステップと、
前記端末機のｍ回目の動作で第２の電圧が電源電圧として前記第１入力部へ第１の時間から印加されるステップと、
前記電源電圧の印加により、前記制御回路の作動開始をするステップと、
前記第２の電圧が下限電圧値よりも低下することで、前記制御回路が第２の時間で作動を停止するステップと、
電圧検知部の出力値を前記第２入力部から入力するステップと、
前記出力値が予め設定された第１閾値を超えた第３の時間以後に、前記タイマで計時された計測時間に応じて前記ｍ回目の登録データを決定するステップと、
前記不揮発性メモリに格納された（ｍ−１）回目までの登録データあるいは、前記（ｍ−１）回目までの登録データと前記ｍ回目の登録データに応じて、第１信号または第２信号のいずれかの出力信号を前記出力部から出力するステップと、
を有する、端末機の制御方法。
【請求項１４】
さらに、発電部で電力を生成するステップと、
前記電力を蓄電部に蓄電するステップと、
前記蓄電部から得られる第１の電圧を電圧変換部で前記第２の電圧に変換するステップと、
前記第１の電圧に応じて前記出力値を生成するステップと、
前記出力部から出力される前記出力信号を無線送信するステップと、
を有する請求項１３に記載の端末機の制御方法。
【請求項１５】
前記ｍ回目の登録データを決定する際に、前記ｍ回目の登録データを前記不揮発性メモリに格納し、
前記ｍ回目の登録データを決定するより前に、または決定した前記ｍ回目の登録データを前記不揮発性メモリに格納する前に、前記出力信号を出力する請求項１３に記載の端末機の制御方法。
【請求項１６】
前記（ｍ−１）回目までの登録データが前記不揮発性メモリに格納されており、
前記第１信号または前記第２信号のいずれかを生成する際に、前記不揮発性メモリから前記（ｍ−１）回目までの登録データを読み出す請求項１３に記載の端末機の制御方法。
【請求項１７】
前記ｍ回目の登録データを決定する際に、前記ｍ回目の登録データを前記不揮発性メモリに格納し、
前記第１信号または前記第２信号のいずれかを生成する前に前記不揮発性メモリから前記（ｍ−１）回目までの登録データおよび前記ｍ回目の登録データを読み出す請求項１３に記載の端末機の制御方法。
【請求項１８】
前記ｍ回目の起動中に、前記出力値を入力した際、前記第３の時間から前記第２の時間の間で、前記第１閾値を超えている前記出力値が前記第１閾値よりも下がり、再び前記第１閾値を第４の時間で超えたとき、前記第４の時間を（ｍ＋１）回目の起動時での前記第３の時間として置き換える、請求項１３に記載の端末機の制御方法。
【請求項１９】
前記不揮発性メモリにおいて前記ｍ回目の登録データを格納する格納箇所には基準時間を前記計測時間が超えないことを示す第１データが予め格納されており、
前記基準時間を前記計測時間が超えたとき、前記格納箇所に前記基準時間を前記計測時間が超えたことを示す第２データを前記ｍ回目の登録データとして格納し直すステップをさらに有する請求項１３に記載の端末機の制御方法。
【請求項２０】
前記ｍ回目の起動中に、前記不揮発性メモリの格納領域に設定した保存箇所に前記ｍ回目で計測されていく時間に応じた値を定期的に保存していくステップをさらに有し、
前記ｍ回目での値を前記保存箇所に定期的に保存する前に、前記保存箇所に保存している（ｍ−１）回目の値と予め設定した基準時間に応じた規定値との比較によって前記ｍ回目の登録データを決定する請求項１３に記載の端末機の制御方法。
【請求項２１】
前記ｍ回目の登録データを決定した後に、前記（ｍ−１）回目までの登録データおよび前記ｍ回目の登録データに応じて前記出力信号を生成する、請求項２０に記載の端末機の制御方法。
【請求項２２】
前記不揮発性メモリは、第１の格納部から第ｎの格納部からなるｎ個の格納部（ｎ≧ｍ：正の整数）を備え、
起動開始後に前記タイマの計時を開始するステップと、
前記ｎ個の格納部のｐ番目の格納部（ｎ≧ｐ≧２：正の整数）の登録データをｐ−１番目の格納部に格納するステップと、
第１データを前記第ｎの格納部に格納するステップと、
前記タイマで計測する計時値が予め決められた値を超えると、第２データを前記第ｎの格納部に登録するステップと、
前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力するステップと、を備える請求項１３に記載の端末機の制御方法。
【請求項２３】
前記不揮発性メモリは、第１の格納部から第ｎの格納部からなるｎ個の格納部（ｎ≧３）を備え、
起動開始後に前記タイマの計時を開始するステップと、
前記ｎ個の格納部のｐ番目の格納部（ｎ≧ｐ≧２：正の整数）の登録データをｐ−１番目の格納部に格納するステップと、
１以上の回数で、前記タイマで計測する計時値に応じて、前記第ｎの格納部の登録データを更新するステップと、
また、前記第１の格納部から第ｎ−１の格納部までのｎ−１個の前記格納部の中で、予め参照対象を定められた２以上の前記格納部に格納された登録データに応じて前記出力部から前記第１信号または前記第２信号のいずれかを前記出力信号として出力するステップと、を備える請求項１３に記載の端末機の制御方法。
【請求項２４】
前記タイマは前記クロックのカウントを行うカウンタであり、前記計測時間は、前記カウンタのカウント値である請求項１３から２３のいずれか１項に記載の端末機の制御方法。
【請求項２５】
請求項１から１２のいずれか１つに記載の端末機と、前記端末機で無線送信された信号を受信する親無線機と、を備え、
前記端末機からの前記第１信号はペアリングモード信号であり、前記ペアリングモード信号を通じて前記端末機と前記親無線機とはペアリングされる、無線通信システム。
【国際調査報告】
2017141759.tif 000030
2017141759.tif 000031